(57)【特許請求の範囲】
【請求項１】
個人医療記録管理装置と、
データ管理装置と、を備える個人医療情報処理システムであって、
前記個人医療記録管理装置は、
患者の問診データを予め格納する個人問診データ格納手段と、
医療機関側のデータ管理装置で生成された、前記医療機関側における前記患者の識別情報を特定するための情報を含むチケット情報を取得するチケット取得手段と、
前記チケット情報および問診データを送信する旨の入力を受け付けると、当該チケット情報を用いて前記患者の問診データを前記個人問診データ格納手段から読み出して前記医療機関側の前記データ管理装置に出力する個人データ出力手段と、
を備え、
前記データ管理装置は、
診察受付の入力を受け付けたとき、前記患者のユーザ端末に取得させるために、患者識別情報を特定する情報を含むチケット情報を生成して出力するチケット出力手段と、
出力した前記チケット情報に対応付けて問診データを取得し、当該問診データを前記患者識別情報に対応付けて表示する問診データ表示手段と、
を備え、
前記個人医療記録管理装置の前記チケット取得手段は、
前記データ管理装置が出力した前記チケット情報を取得した前記患者の前記ユーザ端末から当該チケット情報を取得する、
個人医療情報処理システム。
【請求項２】
前記データ管理装置において、
前記チケット出力手段は、前記チケット情報をコードに変換して出力する、
請求項１に記載の個人医療情報処理システム。
【請求項３】
前記データ管理装置において、
前記チケット出力手段は、以下の（ａ１）〜（ａ４）のうち少なくともいずれか一つの出力方法で前記チケット情報を出力し、
前記個人医療記録管理装置の前記チケット取得手段は、
前記コードを読み取って前記チケット情報を取得した、または前記チケット情報を受信して取得した、前記患者の前記ユーザ端末から、前記データ管理装置から出力された前記チケット情報を取得する、請求項２に記載の個人医療情報処理システム。
（ａ１）紙に前記コードを印刷する。
（ａ２）医療機関の受付端末に接続される表示装置の画面に前記コードを表示させる。
（ａ３）前記医療機関のウェブサイトの前記患者の専用ページにおいて、診察受付の入力を受け付けた後に前記コードを表示させる。
（ａ４）前記医療機関のウェブサイトの前記患者の専用ページにおいて、診察受付の入力を受け付けた後にチケット情報を前記患者の前記ユーザ端末に送信する。
【請求項４】
前記個人医療記録管理装置において、
前記個人問診データ格納手段は、前記患者の問診データを当該患者の個人識別情報に対応付けて、複数の患者の問診データを格納し、
前記個人データ出力手段は、前記問診データを送信すべき患者の前記個人識別情報をさらに受け付け、当該個人識別情報に対応する患者の前記問診データを前記個人問診データ格納手段から読み出して出力する請求項１から３のいずれか一項に記載の個人医療情報処理システム。
【請求項５】
前記チケット情報は、ワンタイムかつ有効期間が設定されている、
請求項１から４のいずれか一項に記載の個人医療情報処理システム。
【請求項６】
前記個人医療記録管理装置において、
前記チケット取得手段は、
前記問診データに加えるべき質問事項が含まれるチケット情報を取得し、
前記個人データ出力手段は、
当該質問事項に対する回答が入力されたことを条件に、新たに入力されたデータを含んだ状態で前記問診データを前記医療機関側の前記データ管理装置に出力する請求項１から５のいずれか一項に記載の個人医療情報処理システム。
【請求項７】
前記個人医療記録管理装置は、
前記チケット情報に前記質問事項が含まれていた場合に、その質問事項に回答すべきことを示すアラート情報を出力するアラート出力手段をさらに備える請求項６に記載の個人医療情報処理システム。
【請求項８】
前記個人医療記録管理装置は、
医療機関での検査結果データを、当該医療機関の識別情報に対応付けて受信する結果データ受信手段と、
受信した前記検査結果データを格納する結果データ格納手段と、をさらに備え、
前記チケット情報は、前記患者の前記検査結果データを、当該患者に提供する旨の入力を受け付けたこと示す情報を含み、
前記個人医療記録管理装置において、
前記チケット取得手段は、前記チケット情報を取得し、
前記結果データ受信手段は、
前記チケット情報および前記検査結果データを受信する旨の入力を受け付けると、当該チケット情報を用いて前記医療機関側の前記データ管理装置のデータ記憶装置にアクセスし、前記患者の識別情報の検査結果データを読み出し、当該
医療機関の識別情報に対応付けて前記結果データ格納手段に格納する請求項７に記載の個人医療情報処理システム。
【請求項９】
前記チケット情報は、
他の医療機関における前記患者の前記問診データまたは前記検査結果データを、該医療機関に送信する旨の入力を受け付けたことを示す情報を含み、
前記個人医療記録管理装置において、
前記チケット取得手段は、前記チケット情報を取得し、
前記個人データ出力手段は、
前記チケット情報を受け付けると、当該チケット情報を用いてその患者の問診データまたは検査結果データを前記個人問診データ格納手段または前記結果データ格納手段から読み出して当該医療機関側の前記データ管理装置に出力する、請求項８に記載の個人医療情報処理システム。
【請求項１０】
前記データ管理装置において、
前記チケット出力手段は、
医療機関での前記患者識別情報に対応する検査結果データを、患者に提供する旨の入力を受け付けたとき、前記患者識別情報と当該医療機関の識別情報を特定する情報を含むチケット情報を生成して出力し、
前記検査結果データを、当該医療機関の識別情報に対応付けて患者の個人医療記録情報を記憶する記憶装置に出力し、出力したデータを当該患者識別情報に紐付けて当該患者の個人医療記録情報として前記記憶装置に記憶させる結果出力手段をさらに備える請求項９に記載の個人医療情報処理システム。
【請求項１１】
請求項１から１０のいずれか一項に記載の個人医療情報処理システムの個人医療記録管理装置。
【請求項１２】
請求項１から１０のいずれか一項に記載の個人医療情報処理システムのデータ管理装置。
【請求項１３】
請求項１から１０のいずれか一項に記載の個人医療情報処理システムの個人医療記録管理装置であって、
前記個人医療記録管理装置が、
患者の問診データを個人問診データ格納部に予め格納し、
医療機関側のデータ管理装置で生成された、前記医療機関側における前記患者の識別情報を特定するための情報を含むチケット情報を、前記データ管理装置が出力した前記チケット情報を取得した前記患者のユーザ端末から取得し、
前記チケット情報および問診データを送信する旨の入力を受け付けると、当該チケット情報を用いて前記患者の問診データを前記個人問診データ格納手段から読み出して前記医療機関側の前記データ管理装置に出力する、データ管理方法。
【請求項１４】
請求項１から１０のいずれか一項に記載の個人医療情報処理システムのデータ管理装置であって、
前記データ管理装置が、
診察受付の入力を受け付けたとき、前記患者のユーザ端末に取得させるために、患者識別情報を特定する情報を含むチケット情報を生成して出力し、
出力した前記チケット情報に対応付けて問診データを取得し、当該問診データを前記患者識別情報に対応付けて表示する、データ管理方法。
【請求項１５】
請求項１３に記載の個人医療記録管理装置のデータ管理方法を少なくとも１つのコンピュータに実行させるためのプログラム。
【請求項１６】
請求項１４に記載のデータ管理装置のデータ管理方法を少なくとも１つのコンピュータに実行させるためのプログラム。
【発明の詳細な説明】
【技術分野】
【０００１】
本発明は、個人医療情報処理システムに関し、特に、患者が管理する個人医療記録を管理する個人医療情報処理システムに関する。
【背景技術】
【０００２】
医療面接支援システムの一例が特許文献１に記載されている。特許文献１の医療面接支援システムは、患者が入力した問診票の申告内容に基づいて行う医療面接を支援するものである。患者は、タブレット端末を操作して問診票の入力を行うことができる。入力された問診情報は、サーバ装置に送信され、患者番号に紐付けられて登録される。診察室端末は、患者の問診情報に基づいて、医療面接の支援情報を表示する。面接支援情報としては、たとえば、診療時の注意事項と、追加問診情報が含まれる。追加問診情報は、医療面接において、患者からヒアリングすべき事項や具体的な質問事項が含まれる。追加問診情報は、診察室端末の画面上に順序立てて掲載され、さらに、問診すべき事項毎に、詳細な解説情報も表示させて閲覧できる。
【先行技術文献】
【特許文献】
【０００３】
【特許文献１】特開２０１５−１８７６号公報
【発明の概要】
【発明が解決しようとする課題】
【０００４】
近年、ＰＨＲ（Personal Health Record）と呼ばれる、患者個人の健康に関する様々な個人医療記録情報を、管理する取り組みが始まっている。しかしながら、このＰＨＲに、患者の病院の受診履歴の電子化情報を反映し、患者を通じて他の病院と共有することができる仕組みはない。
また、上記文献記載の技術においても、問診データは、病院毎に管理されるのみであり、患者が記入した患者個人の情報であるのにも関わらず、患者にフィードバックされることはなかった。そのため、患者は、病院を受診する度に、病院毎に問診を記入しなければならず、情報を共有する仕組みはなかった。
【０００５】
本発明は上記事情に鑑みてなされたものであり、その目的とするところは、患者管理の個人医療記録の医療機関との共有を考慮よく、かつ、セキュアに実行する医療情報処理システムを提供することにある。
【課題を解決するための手段】
【０００６】
本発明の各側面では、上述した課題を解決するために、それぞれ以下の構成を採用する。
【０００７】
第一の側面は、医療情報処理システムに関する。
第一の側面に係る個人医療処理システムは、
個人医療記録管理装置と、
データ管理装置と、を備える個人医療情報処理システムであって、
前記個人医療記録管理装置は、
患者の問診データを予め格納する個人問診データ格納手段と、
医療機関側のデータ管理装置で生成された、前記医療機関側における前記患者の識別情報を特定するための情報を含むチケット情報を取得するチケット取得手段と、
前記チケット情報および問診データを送信する旨の入力を受け付けると、当該チケット情報を用いて前記患者の問診データを前記個人問診データ格納手段から読み出して前記医療機関側の前記データ管理装置に出力する個人データ出力手段と、
を有し、
前記データ管理装置は、
診察受付の入力を受け付けたとき、前記患者のユーザ端末に取得させるために、患者識別情報を特定する情報を含むチケット情報を生成して出力するチケット出力手段と、
出力した前記チケット情報に対応付けて問診データを取得し、当該問診データを前記患者識別情報に対応付けて表示する問診データ表示手段と、
を有し、
前記個人医療記録管理装置の前記チケット取得手段は、
前記データ管理装置が出力した前記チケット情報を取得した前記患者の前記ユーザ端末から当該チケット情報を取得する。
【０００８】
第二の側面は、個人医療記録管理装置に関する。
第二の側面に係る個人医療記録管理装置は、
第一の側面の個人医療情報処理システムの個人医療記録管理装置である。
【０００９】
第三の側面は、データ管理装置に関する。
第三の側面に係るデータ管理装置は、
第一の側面の個人医療情報処理システムのデータ管理装置である。
【００１０】
第四の側面は、少なくとも１つのコンピュータにより実行される個人医療記録管理装置のデータ管理方法に関する。
第四の側面に係る個人医療記録管理装置のデータ管理方法は、
第一の側面の個人医療情報処理システムの個人医療記録管理装置のデータ管理方法であって、
前記個人医療記録管理装置が、
患者の問診データを個人問診データ格納部に予め格納し、
医療機関側のデータ管理装置で生成された、前記医療機関側における前記患者の識別情報を特定するための情報を含むチケット情報を、前記データ管理装置が出力した前記チケット情報を取得した前記患者のユーザ端末から取得し、
前記チケット情報および問診データを送信する旨の入力を受け付けると、当該チケット情報を用いて前記患者の問診データを前記個人問診データ格納手段から読み出して前記医療機関側の前記データ管理装置に出力する、ことを含む。
【００１１】
第五の側面は、少なくとも１つのコンピュータにより実行されるデータ管理装置のデータ管理方法に関する。
第五の側面に係るデータ管理装置のデータ管理方法は、
第一の側面の個人医療情報処理システムのデータ管理装置のデータ管理方法であって、
前記データ管理装置が、
診察受付の入力を受け付けたとき、前記患者のユーザ端末に取得させるために、患者識別情報を特定する情報を含むチケット情報を生成して出力し、
出力した前記チケット情報に対応付けて問診データを取得し、当該問診データを前記患者識別情報に対応付けて表示する、ことほ含む。
【００１２】
なお、本発明の他の側面としては、上記第四または第五の側面の方法を少なくとも１つのコンピュータに実行させるプログラムであってもよいし、このようなプログラムを記録したコンピュータが読み取り可能な記録媒体であってもよい。この記録媒体は、非一時的な有形の媒体を含む。
このコンピュータプログラムは、コンピュータにより実行されたとき、コンピュータに、各装置上で、そのデータ管理方法を実施させるコンピュータプログラムコードを含む。
【００１３】
なお、以上の構成要素の任意の組合せ、本発明の表現を方法、装置、システム、記録媒体、コンピュータプログラムなどの間で変換したものもまた、本発明の態様として有効である。
【００１４】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１５】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障のない範囲で変更することができる。
【００１６】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１７】
上記各側面によれば、患者管理の個人医療記録の医療機関との共有を考慮よく、かつ、セキュアに実行する医療情報処理システムを提供することができる。
【図面の簡単な説明】
【００１８】
【図１】本発明の実施の形態に係る個人医療記録管理装置の論理的な構成を示す機能ブロック図である。
【図２】本発明の実施の形態に係るデータ管理装置の論理的な構成を示す機能ブロック図である。
【図３】本発明の実施の形態に係る医療情報処理システムのシステム構成を概念的に示す図である。
【図４】本実施形態の医療情報処理システムを用いて、ある患者がある病院を受診する場合に関係する構成を抜粋して概念的に示す図である。
【図５】本実施形態の個人医療記録管理装置の個人問診データ格納部に格納される個人問診情報の構造の一例を示す図である。
【図６】本実施形態の医療情報処理システムにおいて、病院システムの診察受付情報の構造の一例を示す図である。
【図７】本実施形態の医療情報処理システムにおける患者のユーザ端末の論理的な構成を示す機能ブロック図である。
【図８】本実施形態の医療情報処理システムにおける患者のユーザ端末の表示画面の一例を示す図である。
【図９】本実施形態の医療情報処理システムにおける問診データの履歴情報を示す問診履歴画面の一例を示す図である。
【図１０】本実施形態の医療情報処理システムにおける個人履歴情報の構造の一例を示す図である。
【図１１】本実施形態の医療情報処理システムにおける各装置および各端末を実現するコンピュータ６０の構成例を示すブロック図である。
【図１２】本実施形態の医療情報処理システムの各装置または各端末の動作の一例を示すフローチャートである。
【図１３】本実施形態の病院毎に管理される病院管理記憶部に格納される個人問診情報の構造の一例を示す図である。
【図１４】本実施形態の医療情報処理システムにおけるチケット発行情報の構造の一例を示す図である。
【図１５】本実施形態の医療情報処理システムの動作の一例を示すフローチャートである。
【図１６】本実施形態の医療情報処理システムにおける問診データを説明するための図である。
【図１７】本発明の実施の形態に係る個人医療記録管理装置の論理的な構成を示す機能ブロック図である。
【図１８】本実施形態の医療情報処理システムのアラート画面の一例を示す図である。
【図１９】本実施形態の個人医療記録管理装置の動作の一例を示すフローチャートである。
【図２０】本発明の実施の形態に係る個人医療記録管理装置の論理的な構成を示す機能ブロック図である。
【図２１】本発明の実施の形態に係るデータ管理装置の論理的な構成を示す機能ブロック図である。
【図２２】本実施形態の病院管理記憶部に格納される個人結果情報の構造の一例を示す図である。
【図２３】本実施形態の医療情報処理システムにおける患者のユーザ端末の表示画面の一例を示す図である。
【図２４】本実施形態の病院管理記憶部に格納される結果データの情報を示す個人結果情報の構造の一例を示す図である。
【図２５】本実施形態の医療情報処理システムの動作の一例を示すフローチャートである。
【図２６】本発明の実施の形態に係る個人医療記録管理装置の論理的な構成を示す機能ブロック図である。
【図２７】本発明の実施の形態に係るデータ管理装置の論理的な構成を示す機能ブロック図である。
【図２８】本実施形態の個人医療記録管理装置における問診データと結果データの送信履歴情報を示す個人データ送信履歴情報の構造の一例を示す図である。
【図２９】本実施形態の医療情報処理システムにおける患者のユーザ端末の表示画面の一例を示す図である。
【図３０】本実施形態の医療情報処理システムの動作の一例を示すフローチャートである。
【発明を実施するための形態】
【００１９】
以下、本発明の実施の形態について、図面を用いて説明する。尚、すべての図面において、同様な構成要素には同様の符号を付し、適宜説明を省略する。
【００２０】
（第１の実施の形態）
本発明の第１の実施の形態に係る医療情報処理システムについて以下説明する。
本発明の実施の形態に係る医療情報処理システムは、図１に示す個人医療記録管理装置１００と、図２に示すデータ管理装置１２０とを含む。
なお、各図において、本発明の本質に関わらない部分の構成については省略してあり、図示されていない。
【００２１】
図１は、本発明の実施の形態に係る個人医療記録管理装置１００の論理的な構成を示す機能ブロック図である。
本実施形態の個人医療記録管理装置１００は、患者の問診データを予め格納する個人問診データ格納部１０２と、医療機関側のデータ管理装置１２０（図２）で生成された、医療機関側における患者の識別情報（以後、患者ＩＤと呼ぶ）を特定するための情報を含むチケット情報を取得するチケット取得部１０４と、チケット情報および問診データを送信する旨の入力を受け付けると、当該チケット情報を用いて患者の問診データを個人問診データ格納部１０２から読み出して医療機関側のデータ管理装置１２０（図２）に出力する個人データ出力部１０６と、を備える。
【００２２】
本明細書において、「取得」とは、自装置が他の装置や記録媒体（後述するコード１６０も含む）に格納されているデータまたは情報を取りに行くこと（能動的な取得）、たとえば、他の装置にリクエストまたは問い合わせして受信すること、他の装置や記録媒体にアクセスして読み出すこと等、および、自装置に他の装置から出力されるデータまたは情報を入力すること（受動的な取得）、たとえば、配信（または、送信、プッシュ通知等）されるデータまたは情報を受信すること等、の少なくともいずれか一方を含む。また、受信したデータまたは情報の中から選択して取得すること、または、配信されたデータまたは情報を選択して受信することも含む。
【００２３】
図２は、本発明の実施の形態に係るデータ管理装置１２０の論理的な構成を示す機能ブロック図である。
本実施形態のデータ管理装置１２０は、診察受付の入力を受け付けたとき、患者ＩＤを特定する情報を含むチケット情報を生成して出力するチケット出力部１２２と、出力したチケット情報に対応付けて問診データを取得し、当該問診データを患者ＩＤに対応付けて表示する問診データ表示部１２４と、を備える。
【００２４】
図３は、本発明の実施の形態に係る医療情報処理システム１のシステム構成を概念的に示す図である。
医療情報処理システム１において、個人医療記録管理装置１００は、各患者（Ｕａ、Ｕｂ、Ｕｃ、・・・、図中、３人の患者を示すがこれに限定されない。少なくとも１人の患者を含む。）のユーザ端末１４０（図中、患者Ｕａのユーザ端末１４０ａ、患者Ｕｂのユーザ端末１４０ｂ、患者Ｕｃのユーザ端末１４０ｃを示している。以後、特に区別する必要がない場合はユーザ端末１４０と示す。）とネットワーク７を介して接続されるとともに、ネットワーク５を介してデータ管理装置１２０にネットワーク５を介して接続される。
データ管理装置１２０は、各病院（Ｈａ、Ｈｂ、Ｈｃ、・・・、図中、３つの病院を示すがこれに限定されない。少なくとも１つの病院）の病院システム１５０（図中、病院Ｈａの病院システム１５０ａ、病院Ｈｂの病院システム１５０ｂ、病院Ｈｃの病院システム１５０ｃを示している。以後、特に区別する必要がない場合は病院システム１５０と示す。）とネットワーク３を介して接続される。
【００２５】
ネットワーク３は、たとえば、インターネット等のネットワークを含み、病院毎に病院システム１５０から所定の通信方式に従い、ＬＡＮ（Local Area Network）またはＷＡＮ（Wide Area Network）等のネットワーク、あるいは、移動体通信網等を介してインターネットに接続し、所定のウェブサーバ（不図示）を介して、クラウドサーバ１９０にログイン後に接続される。また、病院システム１５０内のネットワークとインターネットの間、および、インターネット（ネットワーク３）とクラウドサーバ１９０のデータ管理装置１２０との間は、セキュアな通信環境で接続されているものとする。
【００２６】
ネットワーク５は、クラウドサーバ１９０内のＬＡＮまたはＷＡＮ等のネットワークで接続される。通信方式も特に限定されない。また、無線および有線の少なくともいずれか一つで通信される。また、個人医療記録管理装置１００とデータ管理装置１２０は、ネットワーク以外のコンピュータ間の通信伝送路（たとえば、ＵＳＢ（Universal Serial Bus）等）で接続される構成も排除されない。
【００２７】
ネットワーク７は、たとえば、インターネット等のネットワークを含み、患者毎にユーザ端末１４０の所定の通信方式に従い、ＬＡＮまたはＷＡＮ等のネットワーク、あるいは、移動体通信網等を介してインターネットに接続し、所定のウェブサーバ（不図示）を介して、クラウドサーバ１９０にログイン後に接続される。インターネット（ネットワーク７）とクラウドサーバ１９０の個人医療記録管理装置１００との間は、セキュアな通信環境で接続されているものとする。
【００２８】
個人医療記録管理装置１００は、患者（Ｕａ、Ｕｂ、Ｕｃ等）の個人医療記録情報を管理する。個人医療記録管理装置１００は、クラウドサーバ１９０に含まれる。クラウドサーバ１９０は、患者（Ｕａ、Ｕｂ、Ｕｃ等）毎に個人医療記録情報を記憶する領域（個人問診データ格納部１０２）を含む患者管理記憶部１１０を有する。本図の例では、患者Ｕａの個人医療記録情報の記憶領域は患者管理記憶部１１０ａであり、患者Ｕｂの個人医療記録情報の記憶領域は患者管理記憶部１１０ｂであり、患者Ｕｃの個人医療記録情報の記憶領域は患者管理記憶部１１０ｃである。以後、特に区別する必要がない場合は患者管理記憶部１１０と示す。
【００２９】
個人医療記録情報とは、所謂ＰＨＲ（Personal Health Record）と呼ばれる、患者個人の健康に関する様々な情報を含む。本実施形態では、個人医療記録情報とは、ＰＨＲのうち、特に、医療機関にかかった時に患者が記入する問診記録データ、医療機関で受けた検査結果データ（たとえば、レントゲン撮影画像データ、血液検査結果データ等）を含む。
【００３０】
本実施形態の医療情報処理システム１は、医療機関から患者に返却されることのなかった問診記録データを医療機関から患者に返信し、各患者個人が管理するとともに、各患者が他の医療機関に問診記録データを提供する。
【００３１】
さらに、医療機関から検査結果が返信される場合、たとえば、ＣＤ−Ｒ（Compact Disk Recordable）等にレントゲン撮影画像データを格納して患者を介して他の医療機関に提供されることはあった。しかしながら、患者に対して、レントゲン撮影画像データを流用可能に提供されるケースはほとんどなかった。
【００３２】
本実施形態の医療情報処理システム１は、医療機関から患者にデータとして体系的に返却されることのなかった検査結果データを、体系的に患者に返信し、各患者個人が体系的に管理するとともに、各患者が他の医療機関に検査結果データを提供する。
本実施形態では、問診記録データの管理方法について説明し、後述する実施形態で検査結果データの管理方法について説明する。
【００３３】
データ管理装置１２０は、詳細については後述するが、各病院（Ｈａ、Ｈｂ、Ｈｃ等）に、各患者から提供される個人医療記録情報を管理する。データ管理装置１２０は、クラウドサーバ１９０に含まれる。本実施形態では、個人医療記録管理装置１００とデータ管理装置１２０は同じクラウドサーバ１９０に含まれる構成としているが、これに限定されず、異なるクラウドサーバ１９０に含まれてもよい。
【００３４】
クラウドサーバ１９０は、病院（Ｈａ、Ｈｂ、Ｈｃ等）毎に患者の個人医療記録情報を記憶する領域を含む病院管理記憶部１３０を有する。本図の例では、病院Ｈａの個人医療記録情報の記憶領域は病院管理記憶部１３０ａであり、病院Ｈｂの個人医療記録情報の記憶領域は病院管理記憶部１３０ｂであり、病院Ｈｃの個人医療記録情報の記憶領域は病院管理記憶部１３０ｃである。各病院の病院管理記憶部１３０には、後述するチケット情報を用いて、各病院の病院システム１５０（病院Ｈａの病院システム１５０ａ、病院Ｈｂの病院システム１５０ｂ、病院Ｈｃの病院システム１５０ｃ）から参照可能となる。なお、病院管理記憶部１３０は病院システム１５０内に設けられていてもよい。
【００３５】
ユーザ端末１４０（患者Ｕａのユーザ端末１４０ａ、患者Ｕｂのユーザ端末１４０ｂ、患者Ｕｃのユーザ端末１４０ｃ）は、詳細については後述するが、各患者（Ｕａ、Ｕｂ、Ｕｃ等）が利用する端末であり、たとえば、スマートフォン、タブレット端末、パーソナルコンピュータ、携帯電話機、ＰＨＳ（Personal Handyphone System）、ＰＤＡ（Personal Digital Assistants）、などを含み、特に限定されない。
【００３６】
ユーザ端末１４０を用いて、病院（Ｈａ、Ｈｂ、Ｈｃ等）を受診する際、その病院の問診を入力し、その問診記録データを各患者（Ｕａ、Ｕｂ、Ｕｃ等）の患者管理記憶部１１０（患者Ｕａの患者管理記憶部１１０ａ、患者Ｕｂの患者管理記憶部１１０ｂ、患者Ｕｃの患者管理記憶部１１０ｃ）に格納する。
【００３７】
図４は、本実施形態の医療情報処理システム１を用いて、患者Ｕａが病院Ｈａを受診する場合に関係する構成を抜粋して概念的に示す図である。
病院Ｈａの病院システム１５０ａは、管理サーバ１５２と、受付端末１５４と、診察端末１５６と、医療情報記憶装置１５８とを含む。図では、それぞれ１つずつ示しているが、それぞれ複数であってもよい。管理サーバ１５２に、受付端末１５４と診察端末１５６と医療情報記憶装置１５８がネットワーク１１を介して接続される。さらに、管理サーバ１５２は、ネットワーク９を介してデータ管理装置１２０に接続され、病院Ｈａの病院管理記憶部１３０ａにアクセスする。
【００３８】
受付端末１５４は、診察に来院する患者の診察受付を行う端末である。診察受付には、２つの受付方法がある。１つは、整理番号方式であり、当日、患者が来院して窓口受け付け、または来院前にユーザ端末１４０を用いて病院のホームページにアクセスして診察受付を行い、受付順に整理番号を発行する方法である。もう１つは、診察予約であり、診察日時を指定して予約する方法である。診察予約は、ユーザ端末１４０を利用して病院のホームページにアクセスして患者が行ってもよいし、病院側が、受付端末１５４、診察端末１５６などを用いて行ってもよい。
【００３９】
診察端末１５６は、医師等の医療従事者が診察時に利用する端末であり、本実施形態では、病院管理記憶部１３０の患者の個人医療記録情報を表示する端末である。また、受付端末１５４および診察端末１５６は、医療情報記憶装置１５８の情報にもアクセスできる。
医療情報記憶装置１５８は、たとえば、病院Ｈａの患者の問診データ、検査結果データ等を含む情報が記憶される。
【００４０】
本実施形態の医療情報処理システム１を利用する際、各病院および各患者は、予めユーザ登録を行う。クラウドサーバ１９０の各装置にログインするためのユーザＩＤ（個人医療記録管理装置１００で使用されるユーザ識別情報）とパスワードを登録する。各病院の病院システム１５０の管理サーバ１５２は、ネットワーク９を介してクラウドサーバ１９０のデータ管理装置１２０にログインし、データ管理装置１２０との通信が確立され、当該病院の病院管理記憶部１３０にアクセス可能な状態となる。
また、各患者のユーザ端末１４０は、ネットワーク７を介してクラウドサーバ１９０の患者管理記憶部１１０にログインし、個人医療記録管理装置１００との通信が確立され、当該患者の患者管理記憶部１１０にアクセス可能な状態となる。
【００４１】
患者Ｕａは、ユーザ端末１４０ａを用いて、本実施形態の医療情報処理システム１を利用する。患者Ｕａのユーザ端末１４０ａは、ネットワーク７を介して個人医療記録管理装置１００に接続され、患者Ｕａの患者管理記憶部１１０ａにアクセスする。たとえば、ユーザ端末１４０のブラウザを利用して、所定のＵＲＬ（Uniform Resource Locator）にアクセスし、ログイン手続きを行い、認証された場合に、アクセスできる。
【００４２】
図５は、本実施形態の個人医療記録管理装置１００の個人問診データ格納部１０２に格納される個人問診データの情報を示す個人問診情報１１４の構造の一例を示す図である。
図１の個人問診データ格納部１０２は、個人問診データを格納する。個人問診データの格納情報は、個人問診情報１１４にユーザ別（患者別）に記憶される。図３および図４では、図１の個人問診データ格納部１０２は患者管理記憶部１１０に相当し、各患者Ｕａ、Ｕｂ、Ｕｃの患者管理記憶部１１０ａ、１１０ｂ、１１０ｃに問診データが格納される。
【００４３】
個人問診データは、上述したクラウドサーバ１９０の個人医療記録管理装置１００に各患者が登録したユーザＩＤにより管理することができる。あるいは、ユーザＩＤの替わりにユーザＩＤに紐付けられたユーザの他の識別情報（たとえば、ユーザ名、メールアドレス等）であってもよい。
【００４４】
個人問診情報１１４は、格納日時と、問診データの識別情報（以後、問診ＩＤと呼ぶ。）と、問診データの格納場所を示す情報が対応付けて記憶される。問診データの格納場所を示す情報は、たとえば、問診データのファイルを格納した個人問診データ格納部１０２（患者管理記憶部１１０ａ）のパスを少なくとも含む。また、ファイル名を含んでもよい。本実施形態では、問診ＩＤがファイル名を示しているものとし、格納場所のパス情報と問診ＩＤで問診データのファイルを特定できるようになっている。さらに、ＩＰアドレスまたはＵＲＬアドレスを含み、記憶装置の場所を特定してもよい。
【００４５】
個人医療記録管理装置１００において、図１のチケット取得部１０４は、医療機関（病院Ｈａ）側のデータ管理装置１２０ａで生成された、医療機関（病院Ｈａ）側における患者ＩＤを特定するための情報を含むチケット情報を取得する。
医療機関（病院Ｈａ）側における患者ＩＤとは、たとえば、病院Ｈａの患者を識別するために患者に一意に付与される診察券番号等の識別情報である。患者ＩＤには、患者の各種情報が紐付けられ、医療情報記憶装置１５８に格納されている。
【００４６】
チケット情報は、具体的には、診察受付された患者のその病院における患者ＩＤを特定するための情報として、図６の診察受付情報１３２の受付番号、または、受付日時と患者ＩＤの少なくともいずれか一方を含む受付識別情報（以後、受付ＩＤと呼ぶ）を含む。受付ＩＤは、その発行元の病院の識別情報（以後、病院ＩＤと呼ぶ。）も含む。チケット情報は、さらに、患者の生年月日、および性別の少なくともいずれか一つを含んでもよい。
【００４７】
図６は、本実施形態の医療情報処理システム１において、病院システム１５０の診察受付情報１３２の構造の一例を示す図である。
図６の診察受付情報１３２の受付ＩＤは、日毎、月毎等の所定期間でリセットされるシリアル番号で示しているが、これに限定されない。診察受付順または診察予約日時を特定するための識別情報であればよく、たとえば、受付日時情報を含む所定のフォーマットの情報でもよい。
診察受付情報１３２は、たとえば、受付ＩＤ毎に、少なくとも診察受付日時または診察予約日時と、患者ＩＤとが紐付けられる。また、複数の診療科を有する医療機関の場合、患者が受診する診療科を識別する診療科ＩＤをさらに紐付けてもよい。診察受付情報１３２は、医療機関毎の情報である。
【００４８】
チケット情報は、本実施形態では、診察受付情報１３２の受付ＩＤが記録されるコード１６０（たとえば、ＱＲ（Quick Response）コード（登録商標））として患者に発行される。また、チケット情報が、受け付け毎に発行される場合は不要であるが、初診受け付けで問診が必要な場合にのみチケットを発行する形態においては、診察受付情報１３２にチケット発行の有無を示す情報をさらに含んでもよい。
【００４９】
チケット情報は、様々な出力方法で患者のユーザ端末１４０に取得させることができ、以下に例示されるが、これらに限定されない。以下の少なくとも２つを組み合わせてもよい。
（ａ１）紙にコード１６０を印刷して患者に渡し、患者のユーザ端末１４０でコード１６０を読み取らせる。
（ａ２）受付端末１５４に接続される表示装置（不図示）の画面にコード１６０を表示し、患者のユーザ端末１４０でコード１６０を読み取らせる。
（ａ３）患者がユーザ端末１４０とは別のパソコン等のユーザ端末を利用して病院の診察受付のホームページでログインし、診察受付時後にユーザ端末の画面にコード１６０を表示させ、患者の携帯電話またはスマートフォン等のユーザ端末１４０でコード１６０を読み取らせる。
（ａ４）患者がユーザ端末１４０を利用して病院の診察受付のホームページでログインし、診察受付時後にユーザ端末１４０の画面にコード１６０を表示させ、印刷させて、紙に印刷されたコード１６０をユーザ端末１４０でコード１６０を読み取らせる。
（ａ５）患者がユーザ端末１４０を利用して病院の診察受付のホームページでログインし、診察受付時後にユーザ端末１４０に受付ＩＤを送信して受け渡す。ユーザ端末１４０は、受付ＩＤをメール、ブラウザ、またはアプリケーションで受信する。
【００５０】
個人データ出力部１０６は、チケット情報および個人問診データを送信する旨の入力を受け付けると、当該チケット情報を用いて患者Ｕａの個人問診データを個人問診データ格納部１０２（患者管理記憶部１１０ａ）から読み出して医療機関（病院Ｈａ）側のデータ管理装置１２０の病院管理記憶部１３０ａに出力する。
チケット情報および個人問診データを送信する旨の入力は、たとえば、患者のユーザ端末１４０におけるユーザ操作により受け付けられる。
【００５１】
図７は、本実施形態の医療情報処理システム１における患者のユーザ端末の論理的な構成を示す機能ブロック図である。
本実施形態において、ユーザ端末１４０は、チケット取得部１４２と、チケット転送部１４４と、を有する。
チケット取得部１４２は、上述したチケット情報を取得する。
【００５２】
チケット転送部１４４は、チケット取得部１４２が取得したチケット情報を個人医療記録管理装置１００に送信する旨、および、チケット情報により特定される患者の個人問診データをチケット情報で特定される病院に送信する旨の入力を受け付けた時、個人医療記録管理装置１００にチケット情報と、個人問診データを病院に送信する指示を送信する。
【００５３】
図８は、本実施形態の医療情報処理システム１における患者のユーザ端末１４０の表示装置に表示される画面の一例を示す図である。
画面１７０は、チケット情報を受信したことを示すメッセージを表示する第１表示部１７２と、送信する問診データの選択を指示するメッセージを表示する第２表示部１７３と、問診データを選択するための問診履歴一覧を表示させる指示を受け付ける問診履歴一覧表示ボタン１７４と、を含む。
さらに、画面１７０は、このチケット情報で送信する問診データの情報を表示する第３表示部１７５と、問診データを個人医療記録管理装置１００から病院に送信することの承諾を患者から得るためのメッセージを表示する第４表示部１７６と、を有する。
さらに、画面１７０は、問診データを病院に送信する操作を受け付ける、はいボタン１７７と、送信を拒否する操作を受け付ける、いいえボタン１７８とを有する。
【００５４】
たとえば、病院Ｈａを受診時に、問診データの入力とともにチケット情報を受信した場合には、チケット情報とともに受信した問診データを送信するので、送信すべき問診データの選択は不要である。したがって、この場合には、画面１７０は、少なくとも第１表示部１７２と、第４表示部１７６と、はいボタン１７７と、いいえボタン１７８と、を含んでいればよい。また、第３表示部１７５は確認のために表示されてもよい。
【００５５】
チケット取得部１４２が病院からチケット情報を取得したとき、画面１７０がユーザ端末１４０の表示装置に表示される。問診データの選択が不要な場合には、ユーザが、はいボタン１７７を操作すると、ユーザ端末１４０のチケット転送部１４４が、個人問診データを送信する旨の入力として受け付ける。チケット転送部１４４は、さらに個人医療記録管理装置１００にチケット情報と、個人問診データを病院に送信する旨を示す情報を送信する。
【００５６】
図４の構成では、コード１６０が印刷された用紙を受け取った患者Ｕａは、コード１６０をユーザ端末１４０の撮像部（不図示）を用いて撮像し、チケット情報をチケット取得部１４２に受け渡す。そして、図８の画面１７０が患者Ｕａのユーザ端末１４０の表示装置に表示される。患者Ｕａが、画面１７０のはいボタン１７７を操作すると、チケット転送部１４４が、チケット取得部１４２により取得されたチケット情報と、個人問診データを送信する旨を示す情報を個人医療記録管理装置１００にネットワーク７を介して送信する。
【００５７】
一方、個人医療記録管理装置１００におけるユーザの個人問診データ格納部１０２に予め格納されている問診データをチケット情報に基づき病院に送信する場合は、ユーザの操作により、画面１７０の問診履歴一覧表示ボタン１７４の押下を受け付け、図９の問診履歴画面１８０をユーザ端末１４０に表示する。
図９は、本実施形態の医療情報処理システム１における問診データの履歴情報を示す問診履歴画面の一例を示す図である。
図９では、破線部１８２の問診データが選択された様子を示している。
【００５８】
図１０は、図９の問診履歴画面１８０の表示の基となる個人履歴情報１１２の構造の一例を示す図である。図１０の病院ＩＤと診療科ＩＤは、図示されない対応テーブルを用いて、病院名と診療科名に変換されて図９の問診履歴画面１８０に表示されている。
【００５９】
この例において、個人履歴情報１１２は、患者別（個人医療記録管理装置１００におけるユーザ別）に管理されている。そして、個人履歴情報１１２において、そのユーザが送信した問診データの情報は、問診データの識別情報（問診ＩＤ）、その問診情報の記入（入力）日時または病院への送信日時、その問診データが使用される（または使用された）病院の病院ＩＤおよび診療科ＩＤを含み、互いに対応付けられて記憶されている。図１０の構成は一例であり、これに限定されない。
【００６０】
図１１は、本発明の実施の形態に係る個人医療記録管理装置１００、データ管理装置１２０、ユーザ端末１４０、管理サーバ１５２、受付端末１５４、診察端末１５６の各装置または各端末を実現するコンピュータ６０の構成例を示すブロック図である。
コンピュータ６０は、ＣＰＵ（Central Processing Unit）６２、メモリ６４、メモリ６４にロードされた図１の個人医療記録管理装置１００、図２のデータ管理装置１２０、図７のユーザ端末１４０の構成要素を実現するプログラム、そのプログラムを格納するハードディスクなどのストレージ６６、ネットワーク接続用インタフェース（Ｉ／Ｏ（Input/Output）６８）を備える。メモリ６４、ストレージ６６、およびＩ／Ｏ６８は、バス６９を介して互いに接続され、ＣＰＵ６２により各図の各装置または各端末の各要素とともに各装置全体または各端末全体が制御される。
【００６１】
各図の本実施形態の各装置または各端末の各構成要素は、図１１のコンピュータ６０のハードウェアとソフトウェアの任意の組合せによって実現される。そして、その実現方法、装置にはいろいろな変形例があることは、当業者には理解されるところである。以下説明する各実施形態の各装置または各端末を示す機能ブロック図は、ハードウェア単位の構成ではなく、論理的な機能単位のブロックを示している。
【００６２】
図１１のコンピュータ６０のＣＰＵ６２が、ストレージ６６に記憶されるプログラム７０をメモリ６４に読み出して実行することにより、各図の各装置または各端末の各ユニットの各機能を実現することができる。
【００６３】
本実施形態の第１のコンピュータプログラムは、個人医療記録管理装置１００を実現させるためのコンピュータ６０に、患者の個人問診データ格納部１０２に予め格納する手順、医療機関側のデータ管理装置１２０で生成された、医療機関側における患者ＩＤを特定するための情報を含むチケット情報を取得する手順、チケット情報の特定とともに問診データを送信する旨の入力を受け付けると、当該チケット情報を用いて患者の問診データを医療機関側のデータ管理装置１２０に出力する手順、を実行させるように記述されている。
【００６４】
本実施形態の第２のコンピュータプログラムは、データ管理装置１２０を実現させるためのコンピュータ６０に、予約受付が行われたときに、患者ＩＤを特定する情報を含むチケット情報を生成して出力する手順、出力したチケット情報に対応付けて問診データを取得したときに、当該問診データを患者ＩＤに対応付けて表示する手順、を実行させるように記述されている。
【００６５】
本実施形態のコンピュータプログラム７０は、コンピュータ６０で読み取り可能な記録媒体に記録されてもよい。記録媒体は特に限定されず、様々な形態のものが考えられる。また、プログラム７０は、記録媒体からコンピュータ６０のメモリ６４にロードされてもよいし、ネットワークを通じてコンピュータ６０にダウンロードされ、メモリ６４にロードされてもよい。
【００６６】
コンピュータプログラム７０を記録する記録媒体は、非一時的な有形のコンピュータ６０が使用可能な媒体を含み、その媒体に、コンピュータ６０が読み取り可能なプログラムコードが埋め込まれる。コンピュータプログラム７０が、コンピュータ６０上で実行されたとき、コンピュータ６０に、各装置または各端末を実現する以下の制御方法を実行させる。
【００６７】
このように構成された本実施形態の医療情報処理システム１の各装置または各端末のデータ管理方法について、以下説明する。
図１２は、本実施形態の医療情報処理システム１の各装置または各端末の動作の一例を示すフローチャートである。
本発明の実施の形態に係るデータ管理方法は、個人医療記録管理装置１００のデータ管理方法であり、個人医療記録管理装置１００を実現するコンピュータ６０により実行されるデータ管理方法である。
【００６８】
本実施形態のデータ管理方法は、個人医療記録管理装置１００が、患者（ユーザ）の問診データを予め格納し、医療機関側のデータ管理装置１２０で生成された、医療機関側における患者ＩＤを特定するための情報（たとえば、受付ＩＤ）を含むチケット情報を取得し（ステップＳ１２３）、チケット情報および問診データを送信する旨の入力を受け付けると、当該チケット情報を用いて患者（ユーザ）の問診データを個人問診データ格納部１０２から読み出して（ステップＳ１２５）医療機関側のデータ管理装置１２０に出力する（ステップＳ１２７）、ことを含む。
【００６９】
さらに、本発明の実施の形態に係るデータ管理方法は、データ管理装置１２０のデータ管理方法であり、データ管理装置１２０を実現するコンピュータ６０により実行されるデータ管理方法である。
本実施形態のデータ管理方法は、データ管理装置１２０が、診察受付の入力を受け付けたとき（ステップＳ１４１）、患者ＩＤを特定する情報を含むチケット情報を生成して出力し（ステップＳ１４３）、出力したチケット情報に対応付けて問診データを取得し、当該問診データを患者ＩＤに対応付けて表示する（ステップＳ１４５）、ことを含む。
【００７０】
また、ユーザ端末１４０のデータ処理方法は、ユーザ端末１４０が、チケット情報を取得し（ステップＳ１０７）、取得したチケット情報を個人医療記録管理装置１００に送信する旨、および、チケット情報により特定される患者の個人問診データをチケット情報で特定される病院に送信する旨の入力を受け付けた時、個人医療記録管理装置１００にチケット情報と、個人問診データを病院に送信する指示を送信する（ステップＳ１０９）、ことを含む。
【００７１】
以下、詳細に説明する。
【００７２】
まず、ユーザは、ユーザ端末１４０を用いてクラウドサーバ１９０にログインし、認証手続きを行う。これにより、ユーザ端末１４０は個人医療記録管理装置１００にアクセス可能な状態となる。
【００７３】
そして、ユーザ端末１４０には、問診データが表示される。ここで表示される問診データは、一般的な汎用の質問内容から構成される基本問診である。ユーザは、ユーザ端末１４０に表示された問診に対する回答を入力する（ステップＳ１０１）。ユーザ端末１４０は、回答が入力されると、入力された回答を問診データとして個人医療記録管理装置１００に送信する（ステップＳ１０３）。
【００７４】
なお、ステップＳ１０１およびＳ１０３に示した処理は、たとえば、ユーザ端末１４０にインストールされたアプリケーションを用いて行われる。ただし、この処理は、ブラウザで所定のウェブサイトにアクセスすることにより行われてもよい。
【００７５】
そして、個人医療記録管理装置１００（図中、ＰＨＲと示す。）は、ユーザ端末１４０から送信された問診データを患者Ｕａ（個人医療記録管理装置１００におけるユーザ）の個人問診データ格納部１０２（患者管理記憶部１１０ａ）に格納する（ステップＳ１２１）。この際、問診データは、ログイン時に指定したユーザＩＤに基づいて、ユーザ別（患者別）に格納される。言い換えると、この格納処理により、図５の個人問診情報１１４が更新される。
【００７６】
このように、本実施形態では、個人問診データ格納部１０２は、患者の問診データを当該患者ＩＤ（個人医療記録管理装置１００におけるユーザＩＤ）に対応付けて、複数の患者の問診データを格納する。そして、個人データ出力部１０６は、問診データを送信すべきユーザの個人識別情報（ユーザＩＤ）をさらに受け付け、当該個人識別情報（ユーザＩＤ）に対応するユーザ（患者）の問診データを個人問診データ格納部１０２から読み出して出力する。
【００７７】
そして、患者はたとえば、来院して診察受付の手続きを行う（ステップＳ１０５）。病院システム１５０の受付端末１５４で受付処理が行われ、管理サーバ１５２を介して、受付処理が行われたことがデータ管理装置１２０に通知される（ステップＳ１４１）。具体的には、管理サーバ１５２では、図６の診察受付情報１３２に、受け付けた患者の診察受付情報を追加して更新するとともに、診察受付情報をデータ管理装置１２０に送信する。
【００７８】
そして、データ管理装置１２０において、診察受付の入力を受け付けたとき、チケット出力部１２２が、患者ＩＤを特定する情報を含むチケット情報を生成して出力する（ステップＳ１４３）。ここでは、データ管理装置１２０で生成されたチケット情報が、病院システム１５０の管理サーバ１５２を介して受付端末１５４に送信される。受付端末１５４で、受信したチケット情報をコード１６０に変換し、コード１６０を印刷し、患者に渡される。
【００７９】
本実施形態では、チケット情報には、病院ＩＤ、受付番号、患者ＩＤ、患者の生年月日、性別が含まれるものとする。
本実施形態において、チケット情報は、ワンタイム、かつ、有効期間が設定されている。
たとえば、当日の診察受付で発行された場合には、有効期間は当日となる。診療予約の受付で発行された場合には、有効期間は、予約日となる。また、午前中または午後の診察時間内、または所定の期間をさらに有効期間に指定してもよい。たとえば、２０１５年９月１日の８時〜１２時、または、診察当日の午前中等の有効期間であってもよい。
【００８０】
本実施形態では、チケット情報をコード１６０に変換することで、チケット情報に含まれる個人情報を他者に盗み見られることを防ぐことができるとともに、患者のユーザ端末１４０へのチケット情報の受け渡しを簡易に行うことができる。
【００８１】
そして、ユーザ端末１４０を利用して、患者はコード１６０の読み取りを行うことで、チケット取得部１０４がチケット情報を取得する（ステップＳ１０７）。具体的には、ユーザ端末１４０の撮像部（不図示）を用いて、コード１６０を撮像し、得られた画像をバーコードの読取を行えるアプリケーションを使用して、読み取り、チケット情報を取得する。
【００８２】
そして、ユーザ端末１４０において、図８の画面１７０が表示され、患者に対し、チケット情報および問診データを送信するか否かを問い合わせるメッセージが提示される。必要に応じて、送信すべき問診データの選択を患者から受け付けた後、患者による、はいボタン１７７の操作を受け付けると、チケット転送部１４４が、チケット情報および問診データを送信する旨の入力として受け付け、チケット情報を、問診データを送信する旨の指示とともに個人医療記録管理装置１００に送信する（ステップＳ１０９）。ただし、チケット情報の送信が問診データを送信する旨の指示を兼ねている場合、ステップＳ１０９ではチケット情報のみが送信される。
【００８３】
なお、ユーザ端末１４０は、クラウドサーバ１９０の個人医療記録管理装置１００にログインし、個人医療記録管理装置１００における認証手続き後に、ステップＳ１０７およびＳ１０９に示した処理を行う。ただし、ステップＳ１０７に示した処理は、個人医療記録管理装置１００へのログイン前に行われてもよい。
【００８４】
個人医療記録管理装置１００では、チケット取得部１０４が、ユーザ端末１４０から送信されたチケット情報を、ログイン時に入力されたユーザＩＤに紐づけて取得する（ステップＳ１２３）。そして個人データ出力部１０６は、ユーザＩＤに基づいてアクセスすべきユーザの患者管理記憶部１１０を特定し、特定した患者管理記憶部１１０から送信すべき問診データを読み出す（ステップＳ１２５）。読みだされる問診データは、たとえば最新の問診データである。また、読み出される問診データを特定する際に、チケット情報に含まれるデータが用いられてもよい。
【００８５】
次に、個人データ出力部１０６は、チケット情報に含まれる病院ＩＤを用いて、ステップＳ１２５で読み出した問診データを送信する病院管理記憶部１３０を特定する。この特定において、チケット情報に含まれる受付ＩＤおよび患者ＩＤの少なくとも一方が用いられてもよい。
【００８６】
図１３は、本実施形態の病院毎に管理される病院管理記憶部１３０ａに格納される個人問診情報１３４の構造の一例を示す図である。
個人問診情報１３４は、病院毎に病院管理記憶部１３０に格納される複数の患者の問診データの情報を示す。
たとえば、個人問診情報１３４は、患者ＩＤ、問診ＩＤ、問診日時記入日または問診データ格納日時、診療科ＩＤ、および問診データの格納場所を含む。
問診データの格納場所は、たとえば、患者毎に格納場所をディレクトリで分け、そのパス情報で示すことができる。
【００８７】
個人データ出力部１０６は、チケット情報に含まれる病院ＩＤに基づいて、病院の病院管理記憶部１３０を特定し、読み出した問診データを、特定した病院のデータ管理装置１２０の病院管理記憶部１３０にネットワーク５を介して送信する（ステップＳ１２７）。そして、データ管理装置１２０は、送信されてきた問診データを、特定された病院の病院管理記憶部１３０に格納する。この格納により、図１３のその病院の個人問診情報１３４が更新される。
【００８８】
なお、個人データ出力部１０６は、問診データを、チケット情報に対応付けてデータ管理装置１２０に送信してもよい。この場合、データ管理装置１２０は、受信したチケット情報を用いることにより、受信した問診データを格納すべき病院管理記憶部１３０および更新すべき個人問診情報１３４を特定することができる。
【００８９】
そして、データ管理装置１２０の問診データ表示部１２４は、必要なタイミング（たとえば、診察時）に、個人医療記録管理装置１００から送信された問診データを病院管理記憶部１３０から読み出し、病院システム１５０内の管理サーバ１５２または各端末（受付端末１５４、診察端末１５６）の表示装置（不図示）に表示させる（ステップＳ１４５）。
【００９０】
具体的には、病院システム１５０において、問診データを参照する際に、まず、図６の診察受付情報１３２の受付ＩＤを指定し、データ管理装置１２０にログインする。そして、ログイン認証後に、ログイン時のデータ管理装置１２０におけるユーザＩＤ（病院ＩＤ）に基づいて、病院の個人問診情報１３４を特定する。
【００９１】
次に、診察受付情報１３２を参照し、受付ＩＤに対応する患者ＩＤ、診療科ＩＤ等の情報を特定し、先に特定した個人問診情報１３４を参照して、当該患者ＩＤ、診療科ＩＤ等の情報に対応する問診データを特定する。必要に応じて、受付日時や記入日時も比較して、問診データの格納場所を特定してもよい。
そして、問診データ表示部１２４は、特定された格納場所にアクセスし、問診データを病院システム１５０の管理サーバ１５２または各端末（受付端末１５４、診察端末１５６）に表示させる。
【００９２】
なお、本実施形態では、チケット情報で特定される問診データは、病院システム１５０の管理サーバ１５２または各端末に表示させる構成について説明したが、他の形態では、管理サーバ１５２に問診データが表示された後、オペレータの操作に基づいて、管理サーバ１５２にダウンロードされ、病院システム１５０の医療情報記憶装置１５８に格納される構成をさらに備えてもよい。また、他の形態では、問診データが自動的にデータ管理装置１２０から病院システム１５０の管理サーバ１５２にネットワーク３を介して送信され、医療情報記憶装置１５８に格納される構成も排除されない。
【００９３】
また、本実施形態では、チケット情報はワンタイム、かつ、有効期限が設定されている。
図１４は、本実施形態の医療情報処理システム１におけるチケット発行情報の構造の一例を示す図である。
そこで、本実施形態では、図１４に示すように、チケット出力部１２２が出力したチケット情報の発行履歴を示すチケット発行情報１３６を記憶してもよい。
チケット発行情報１３６は、チケット情報を識別するチケットＩＤと、チケット情報を発行した受付ＩＤを紐付け、さらに、そのチケット情報を利用したか否かを示す利用フラグ（ここでは、０が未利用、１が利用済みを示す。）を含む。
【００９４】
そして、問診データ表示部１２４が出力する問診データを特定する前に、そのチケット情報を利用済みか否かを示す利用フラグを参照し、利用済みの場合には、問診データは既に参照済みである旨を管理サーバ１５２に通知し、問診データは表示させない。このとき、たとえば、アラート画面を管理サーバ１５２に表示させてもよい。
【００９５】
また、未利用であった場合、さらに、診察受付情報１３２を参照し、受付ＩＤから受付日時を取得し、受付日時から所定の有効期間内であるか否かを判定する。この例では、病院で有効期間が決まっている構成としているので、チケット発行情報１３６にチケットの有効期間を含んでいない。他の形態において、同じ病院であっても、場合により有効期間が変更になることがある場合には、チケット発行情報１３６にチケットの有効期間の情報を含んでもよい。
【００９６】
そして、チケット情報の有効期間内でない場合は、チケットの有効期間が過ぎている旨を管理サーバ１５２に通知し、問診データは表示させない。このとき、たとえば、アラート画面を管理サーバ１５２に表示させてもよい。
チケット情報の有効期間内である場合、問診データを表示させる。
【００９７】
以上説明したように、本発明の実施の形態の医療情報処理システム１によれば、病院毎に管理されていた問診データを、患者が主体となって管理する方式を採用し、患者の承諾を得た上で、病院が参照することで、問診データの共有を実現することができる。
さらに、本実施形態では、ワンタイム、かつ、有効期間が設定されたチケット情報を用いるので、セキュリティを向上させることができる。
【００９８】
（第２の実施の形態）
次に、本発明の第２の実施の形態に係る医療情報処理システム１について以下説明する。
本実施形態の医療情報処理システム１は、上記実施形態とは、病院や診療科特有の質問事項を付加できる構成を有している点で相違する。
本実施形態の医療情報処理システム１は、上記実施形態と同様な構成を有し、動作のみが異なるので、上記実施形態のブロック図を用いて説明する。
【００９９】
図１５は、本実施形態の医療情報処理システム１の動作の一例を示すフローチャートである。
図１５のフローチャートは、図１２のフローチャートと同様なステップＳ１０１〜ステップＳ１０５（ステップＳ１０１、ステップＳ１０３は不図示）、ステップＳ１４１、およびステップＳ１４５を含むとともに、さらに、ステップＳ２０１〜ステップＳ２０５、ステップＳ２２１〜ステップＳ２２７、およびステップＳ２４１を含む。
【０１００】
本実施形態において、チケット取得部１０４は、問診データに加えるべき質問事項が含まれるチケット情報を取得する。追加の質問事項は、チケット情報に含まれてもよいし、チケット情報に、追加の質問事項の入力用のウェブサイトのＵＲＬアドレスの情報を含む構成でもよい。また、チケット情報とともに、追加の質問事項の問診データの入力フォームを送信する構成でもよい。
問診データの入力システムの構成に応じて、適宜採用すればよい。
【０１０１】
本実施形態では、図１６に示すように、問診データ２１０は、一般的な汎用の質問内容から構成される基本問診を示す基本問診データ２１２と、病院または診療科特有の質問内容から構成される固有問診を示す追加問診データ２１４を含む。
【０１０２】
個人データ出力部１０６は、当該質問事項に対する回答が入力されたことを条件に、新たに入力されたデータを含んだ状態で問診データを医療機関側のデータ管理装置１２０に出力する。
【０１０３】
以下、詳細に説明する。図示していないが、ステップＳ１０５で患者が病院で受け付け手続きを行うところまでは、上記実施形態と同様とする。
そして、データ管理装置１２０において、チケット出力部１２２が、チケット情報と、問診データに加えるべき質問事項を含むチケット情報を出力する（ステップＳ２４１）。上記実施形態と同様に、受付端末１５４でチケット情報をコード１６０に変換して印刷した紙を患者に渡す。
【０１０４】
そして、ユーザ端末１４０は、患者からの入力に従って、クラウドサーバ１９０の個人医療記録管理装置１００にログインし、個人医療記録管理装置１００における認証手続きを行う。そして、ユーザ端末１４０を用いて、患者がコード１６０を読み取り、チケット取得部１０４が、チケット情報と、問診データの追加質問事項（追加問診データ２１４）を取得する（ステップＳ２０１）。
【０１０５】
そして、追加問診データ２１４に基づき固有問診の入力画面がユーザ端末１４０に表示される。ユーザは、この入力画面に入力を行うことにより、固有問診に対する回答を入力する（ステップＳ２０３）。ユーザ端末１４０は回答の入力を受け付け、個人データ出力部１０６が、入力された回答情報を含む追加問診データ（図１６の追加問診データ２１４）を、ログイン時に入力された個人医療記録管理装置１００におけるユーザＩＤに紐づけて、チケット情報とともに個人医療記録管理装置１００に送信する（ステップＳ２０５）。
【０１０６】
そして、個人医療記録管理装置１００において、チケット取得部１０４が、ユーザ端末１４０から送信されたチケット情報と問診データ（追加問診データ２１４）、個人医療記録管理装置１００におけるユーザＩＤに紐付けて取得する（ステップＳ２２１）。
そして、個人問診データ格納部１０２が、受信した追加問診データ２１４を格納する場所を、上記実施形態と同様に特定し、格納する（ステップＳ２２３）。このとき、図５の個人問診情報１１４が更新される。
また、図１０の個人履歴情報１１２に、追加問診データ２１４が送信された情報が追加される。
【０１０７】
なお、個人データ出力部１０６は、第１の実施の形態で示したステップＳ１０１〜ステップＳ１２１を行わず、ステップＳ２０３〜ステップＳ２０５に示した処理において、追加問診データ２１４（図１６）とともに基本問診に関する問診データ（基本問診データ２１２）を表示し、回答をユーザに入力させてもよい。この場合、基本問診に関する問診データは、ステップＳ２０５において、追加問診データとともに個人医療記録管理装置１００に送信される。
【０１０８】
そして、個人データ出力部１０６は、図５の個人問診情報１１４を参照し、個人医療記録管理装置１００におけるユーザＩＤに基づいてアクセスすべきユーザの患者管理記憶部１１０を特定し、特定した患者管理記憶部１１０から送信すべき問診データを読み出す。
【０１０９】
本実施形態では、チケット情報に基づいて、追加問診データ２１４があることが分かる。そこで、個人データ出力部１０６は、図１６に示すように、送信すべき問診データ２１０を基本問診データ２１２と追加問診データ２１４をそれぞれ個人問診データ格納部１０２から読み出して組み合わせて統合し、問診データ２１０を生成する（ステップＳ２２５）。
そして、上記実施形態と同様に、個人データ出力部１０６が、問診データ２１０を対応する病院のデータ管理装置１２０の病院管理記憶部１３０にネットワーク５を介して送信する（ステップＳ２２７）。
【０１１０】
データ管理装置１２０において、病院管理記憶部１３０では、チケット情報に含まれる病院ＩＤに基づいて、病院管理記憶部１３０を特定し、問診データを格納することができる。このとき、病院管理記憶部１３０に格納された問診データの情報に基づいて、図１３の個人問診情報１３４が更新される。
【０１１１】
そして、上記実施形態と同様にデータ管理装置１２０では、問診データ表示部１２４が、個人医療記録管理装置１００から送信された問診データを、出力したチケット情報に対応付けて取得し、当該問診データを患者ＩＤに対応付けて病院システム１５０内の端末に表示させる（ステップＳ１４５）。
【０１１２】
以上説明したように、本実施形態の医療情報処理システム１によれば、病院や診療科に特有の問診に追加すべき質問事項がある場合、既にある基本問診データに追加する形で、問診データを生成し、その患者の回答結果を含む問診データを病院システム１５０の管理サーバ１５２や各端末に表示させることができる。
【０１１３】
（第３の実施の形態）
以下、本発明の第３の実施の形態に係る医療情報処理システム１について説明する。
図１７は、本実施形態の医療情報処理システム１の個人医療記録管理装置３００の論理的な構成を示す機能ブロック図である。
本実施形態の個人医療記録管理装置３００は、上記実施形態の個人医療記録管理装置１００とは、チケット情報に質問事項が含まれていた場合に、その質問事項に該当すべきことを示すアラート情報を出力する構成を有する点で相違する。
【０１１４】
本実施形態において、個人医療記録管理装置３００は、チケット情報に質問事項が含まれていた場合に、その質問事項に回答すべきことを示すアラート情報を出力するアラート出力部３０２をさらに有する。
【０１１５】
アラート出力部３０２は、たとえば、音声および画像の少なくともいずれか１つでアラート情報をユーザ端末１４０に出力する。
図１８は、本実施形態のアラート出力部３０２が出力するアラート画面３２０の一例を示す図である。
アラート画面３２０は、チケット情報を受信したことを通知するメッセージを表示する第１表示部３２２と、未回答の質問事項（または追加の質問事項）があること、質問事項に回答すべきことを示すメッセージを表示する第２表示部３２４と、問診データの入力画面に進ませる操作を受け付ける操作ボタン（図中、「問診へ」と示される）３２６と、キャンセルボタン３２８と、を含む。
【０１１６】
図１９は、本実施形態の個人医療記録管理装置３００の動作の一例を示すフローチャートである。
本図のフローチャートは、図１５の個人医療記録管理装置１００のフローチャートのステップＳ２２１に替えて、ステップＳ３２１〜ステップＳ３２９を有する。
本実施形態では、個人医療記録管理装置３００がアラート出力部３０２を有する構成としているが、他の形態において、ユーザ端末１４０が備えてもよい。
ユーザ端末１４０が、受信したチケット情報に追加の質問事項が含まれるか否かを判定し、アラート画面３２０をユーザ端末１４０に表示してもよい。
【０１１７】
本実施形態の個人医療記録管理装置３００において、チケット取得部１０４が、チケット情報をユーザ端末１４０から取得した時（ステップＳ３２１）、質問事項に追加があるか否かを判定する（ステップＳ３２３）。追加の質問事項が含まれない場合（ステップＳ３２３のＮＯ）、ステップＳ２２７に進み、上記実施形態と同様に動作する。
【０１１８】
また、追加の質問事項が含まれる場合（ステップＳ３２３のＹＥＳ）、その質問事項に対する回答が入力されているか否かを判定する（ステップＳ３２５）。
回答が未入力の場合（ステップＳ３２５のＮＯ）、アラート出力部３０２がアラートを出力する（ステップＳ３２７）。本実施形態では、ユーザ端末１４０にアラート画面３２０が表示される。回答が入力済みの場合（ステップＳ３２５のＹＥＳ）、ステップＳ２２３に進み、以降、上記実施形態と同様に動作する。
【０１１９】
また、ステップＳ３２７でアラート出力した後、質問事項の回答がユーザ端末１４０から回答の受信を確認し（ステップＳ３２９）、受信されるまで（ステップＳ３２９のＮＯ）、ステップＳ３２７に戻る。回答の受信が確認できたとき（ステップＳ３２９のＹＥＳ）、ステップＳ２２３に進み、以降、上記実施形態と同様に動作する。
【０１２０】
また、他の例では、ステップＳ３２５は省略してもよい。回答の有無にかかわらず、アラート画面３２０を表示してもよい。
【０１２１】
以上説明したように、本実施形態の医療情報処理システム１によれば、個人医療記録管理装置３００により、追加の質問事項がチケット情報に含まれている場合に、その旨を通知するアラート情報が出力されるので、質問事項の未入力を防ぐことができる。問診データの精度を向上させることができる。
【０１２２】
（第４の実施の形態）
以下、本発明の第４の実施の形態に係る医療情報処理システム１について説明する。
本実施形態の医療情報処理システム１は、上記実施形態とは、患者が病院で診察を受けた結果得られる、検査結果データ等を患者の個人医療記録情報として病院から受け取る構成を有する点で相違する。
図２０は、本実施形態の医療情報処理システム１の個人医療記録管理装置４００の論理的な構成を示す機能ブロック図である。
図２１は、本実施形態の医療情報処理システム１のデータ管理装置４２０の論理的な構成を示す機能ブロック図である。
【０１２３】
本実施形態の医療情報処理システム１の構成は、上記実施形態のいずれかの構成と組み合わせることができる。本実施形態の個人医療記録管理装置４００は、個人問診データ格納部１０２と、個人結果データ格納部４０２と、チケット取得部４０４と、個人データ受信部４０６と、を備える。また、データ管理装置４２０は、チケット出力部４２２と、問診データ表示部１２４と、結果出力部４２４と、を備える。個人問診データ格納部１０２は、上記実施形態の個人医療記録管理装置１００、および個人医療記録管理装置３００の個人問診データ格納部１０２のいずれかと同じ構成を有する。
【０１２４】
チケット情報は、患者の結果データを個人医療記録管理装置４００に送信する旨の入力を受け付けたことを示す情報を含む。
チケット取得部４０４は、ユーザ端末１４０から、チケット情報を取得する。
個人データ受信部４０６は、チケット取得部４０４が取得したチケット情報および結果データを送信する旨の入力を受け付けると、当該チケット情報を用いて医療機関側のデータ管理装置４２０の病院管理記憶部１３０にアクセスし、患者ＩＤの結果データを読み出し、当該医療機関の病院ＩＤに対応付けて個人結果データ格納部４０２に格納する。
【０１２５】
本実施形態のデータ管理装置４２０において、チケット出力部４２２は、医療機関での患者ＩＤに対応する結果データを、患者に提供する旨の入力を受け付けたとき、患者ＩＤと当該医療機関の病院ＩＤを特定する情報を含むチケット情報を生成して出力する。ここで、チケット情報には結果データを互いに識別する情報が含まれていてもよい。
結果出力部４２４は、結果データを、当該医療機関の病院ＩＤに対応付けて患者の個人医療記録情報を記憶する病院管理記憶部１３０に出力し、出力したデータを患者ＩＤに紐付けて当該患者の個人医療記録情報として病院管理記憶部１３０に記憶させる。
【０１２６】
なお、個人医療記録管理装置４００において、チケット取得部４０４は、上記実施形態のチケット取得部１０４と同様な機能を有してもよい。また、データ管理装置４２０において、チケット出力部４２２は、上記実施形態のチケット出力部１２２と同様な機能を有してもよい。そして、問診データ表示部１２４は、上記実施形態と同様な構成である。
【０１２７】
図２２は、本実施形態のデータ管理装置４２０の結果出力部４２４が病院管理記憶部１３０に格納する結果データの情報を示す個人結果情報４３２の構造の一例を示す図である。
個人結果情報４３２は、病院毎に病院管理記憶部１３０に格納される患者毎の結果データの情報を示す。図３および図４を例にとると、各病院Ｈａ、Ｈｂ、Ｈｃの病院管理記憶部１３０ａ、１３０ｂ、１３０ｃに結果データが格納される。
【０１２８】
個人結果情報４３２は、上述したクラウドサーバ１９０の病院管理記憶部１３０に各病院システム１５０が登録したデータ管理装置４２０におけるユーザＩＤにより管理することができる。あるいは、ユーザＩＤの替わりにユーザＩＤに紐付けられた他のユーザ識別情報（たとえば、ユーザ名、メールアドレス等）であってもよい。
【０１２９】
個人結果情報４３２は、患者毎に、格納日時と、結果データの識別情報（結果ＩＤ）と、結果データの格納場所を示す情報が対応付けて記憶される。結果データの格納場所を示す情報は、たとえば、結果データのファイルを格納した個人結果データ格納部４０２（病院管理記憶部１３０）のパスを少なくとも含む。また、ファイル名を含んでもよい。本実施形態では、結果ＩＤがファイル名を示しているものとし、格納場所のパス情報と結果ＩＤで結果データのファイルを特定できるようになっている。さらに、ＩＰアドレスまたはＵＲＬアドレスを含み、記憶装置の場所を特定してもよい。
【０１３０】
本実施形態において、たとえば、患者の検査結果等が出た場合、病院システム１５０の医療情報記憶装置１５８に患者の検査結果データが格納される。そして、医師が、診察端末１５６を利用して患者の検査結果データを診察端末１５６の表示装置に表示し、結果を患者に提供する指示を診察端末１５６の操作部（不図示）を用いて行うことができる。そして、診察端末１５６から管理サーバ１５２を介してデータ管理装置４２０にその指示が伝達される。
【０１３１】
本実施形態において、検査結果とは、たとえば、レントゲン撮像画像等の画像データ、および各種検査結果を示す数値データを含む。
【０１３２】
そして、データ管理装置４２０のチケット出力部４２２が、指示を受け付けたとき、患者ＩＤを特定する情報を含むチケット情報を生成して、病院システム１５０の管理サーバ１５２を介して、診察端末１５６または受付端末１５４に送信される。
診察端末１５６または受付端末１５４でチケット情報をコード１６０に変換し、コード１６０を印刷し、患者に渡される。本実施形態のチケット情報の出力方法は、上記実施形態と同様である。
【０１３３】
本実施形態のチケット情報は、上記実施形態と同様で、病院ＩＤ、受付番号、患者ＩＤ、患者の生年月日、性別が含まれるものとする。
また、本実施形態において、チケット情報は、ワンタイム、かつ、有効期間が設定されている。
たとえば、有効期間は、検査結果データを病院管理記憶部１３０に格納した日から所定の期間（たとえば、３日間、１週間、半年等）を指定してもよい。
【０１３４】
図２３は、本実施形態の医療情報処理システム１における患者のユーザ端末１４０の表示画面の一例を示す図である。
画面４７０は、チケット情報を受信したことを示すメッセージを表示する第１表示部４７２と、結果データを病院から受信することの承諾を患者から得るためのメッセージを表示する第２表示部４７４と、を有する。
さらに、画面４７０は、結果データを病院から受信する操作を受け付ける、はいボタン４７７と、受信を拒否する操作を受け付ける、いいえボタン４７８とを有する。
【０１３５】
チケット取得部４０４が、病院からチケット情報を取得したとき、画面４７０がユーザ端末１４０の表示装置に表示される。
【０１３６】
個人データ受信部４０６は、図２３の画面４７０の、はいボタン４７７が押下されたことを受け付けると、結果データを受信する旨の入力として受け付ける。そして、チケット取得部４０４が取得したチケット情報を用いて、当該患者の個人結果データを病院管理記憶部１３０から読み出して個人結果データ格納部４０２（患者管理記憶部１１０）に格納する。
【０１３７】
図４の構成では、コード１６０が印刷された用紙を受け取った患者Ｕａは、コード１６０をユーザ端末１４０の撮像部を用いて撮像し、チケット情報をチケット取得部１４２に受け渡す。そして、図２３の画面４７０が患者Ｕａのユーザ端末１４０の表示装置に表示される。患者Ｕａが、画面４７０のはいボタン４７７を操作すると、チケット転送部１４４が、チケット取得部１４２により取得されたチケット情報と、結果データを受信する旨を示す情報を個人医療記録管理装置４００にネットワーク７を介して送信する。
【０１３８】
図２４は、本実施形態のデータ管理装置４２０の病院管理記憶部１３０に格納される結果データの情報を示す個人結果情報４１２の構造の一例を示す図である。
個人結果情報４１２は、ユーザ毎に患者管理記憶部１１０に格納される患者（ユーザ）の結果データの情報を示す。患者管理記憶部１１０は、本実施形態の個人結果データ格納部４０２に相当する。
個人結果情報４１２は、ユーザ毎に患者管理記憶部１１０に格納される複数の病院から受信した結果データの情報を示す。
たとえば、個人結果情報４１２は、受信した結果データを患者管理記憶部１１０に格納した格納日時、結果データを示す結果ＩＤ、結果データの送信元の病院を示す病院ＩＤ、その結果データの診療科を示す診療科ＩＤ、および結果データの格納場所を含む。
結果データの格納場所は、たとえば、病院毎、診療科毎等で格納場所をディレクトリで分け、そのパス情報で示すことができる。
【０１３９】
図２５は、本実施形態の医療情報処理システム１の動作の一例を示すフローチャートである。
本実施形態において、まず、データ管理装置４２０が、病院システム１５０から結果データを病院ＩＤおよび患者ＩＤとともに受信し、病院管理記憶部１３０に格納する（ステップＳ４４１）。具体的には、病院システム１５０において、診察端末１５６から医師が患者の検査結果データを指定して、管理サーバ１５２を介して病院管理記憶部１３０に格納させる。その際、管理サーバ１５２は、クラウドサーバ１９０のデータ管理装置４２０にログインし、データ管理装置４２０における認証手続き後に、ネットワーク７を介して結果データ、病院ＩＤ、および患者ＩＤを送信する。この際、結果データは、さらに結果データを特定する情報（ＩＤ）に対応付けて送信されてもよい。
【０１４０】
管理サーバ１５２は、受信した病院ＩＤに基づいて、結果データを格納する病院管理記憶部１３０を特定し、特定された病院管理記憶部１３０に結果データを患者ＩＤに対応付けて格納することにより、図２２に示す個人結果情報４３２の情報を更新する。この際、結果データは、さらに結果データを特定する情報（ＩＤ）に対応付けて格納されてもよい。
【０１４１】
そして、チケット出力部４２２が、患者ＩＤを特定する情報を含むチケット情報を生成して出力する（ステップＳ４４３）。さらに、チケット情報は、病院ＩＤを特定する情報も含むのが好ましい。また、チケット情報は、さらに、結果データを特定する情報を含んでいてもよい。ここでは、データ管理装置１２０で生成されたチケット情報が、病院システム１５０の管理サーバ１５２を介して受付端末１５４に送信される。受付端末１５４で、受信したチケット情報をコード１６０に変換し、コード１６０を印刷し、患者に渡される。
【０１４２】
そして、ユーザ端末１４０は、患者からの入力に従って、クラウドサーバ１９０の個人医療記録管理装置１００にログインし、個人医療記録管理装置１００における認証手続きを行う。そして、ユーザ端末１４０を利用して、患者はコード１６０の読み取りを行うことで、チケット取得部４０４がチケット情報を取得する（ステップＳ４０１）。具体的には、ユーザ端末１４０の撮像部（不図示）を用いて、コード１６０を撮像し、得られた画像をバーコードの読取を行えるアプリケーションを使用して、読み取り、チケット情報を取得する。
【０１４３】
そして、ユーザ端末１４０において、図２３の画面４７０が表示され、患者に対し、チケット情報を受信したこと、および結果データを受信するか否かを問い合わせるメッセージが提示される。患者による、はいボタン４７７の操作を受け付けると、チケット転送部１４４は、チケット情報を個人医療記録管理装置４００に送信する（ステップＳ４０３）。
【０１４４】
個人医療記録管理装置４００では、チケット取得部４０４が、ユーザ端末１４０から送信されたチケット情報を取得する（ステップＳ４２１）。そして個人データ受信部４０６は、当該チケット情報に含まれる患者ＩＤに対応する個人結果情報４３２にアクセスし、受信すべき結果データを特定し、病院管理記憶部１３０から読み出して受け取る（ステップＳ４２３、ステップＳ４４５）。そして、個人データ受信部４０６は、受け取った結果データを、ログイン時に入力された個人医療記録管理装置４００におけるユーザＩＤに対応する患者管理記憶部１１０に格納することにより、図２４の個人結果情報４１２の情報を更新する。
【０１４５】
以上説明したように、本実施形態の医療情報処理システム１によれば、データ管理装置４２０により、患者に結果データを送信する旨の入力が受け付けられたとき、患者の結果データが病院管理記憶部１３０に格納され、その患者ＩＤを特定できる情報を含むチケット情報がチケット出力部４２２により出力される。そして、患者がユーザ端末１４０を用いてチケット情報が取得され、個人医療記録管理装置４００に送信する旨の入力を受け付けた時、チケット情報が個人医療記録管理装置４００に送信される。そして、個人医療記録管理装置４００のチケット取得部４０４によりチケット情報が取得される。そして、チケット情報に含まれる患者ＩＤと病院ＩＤに基づいて、個人データ受信部４０６により、データ管理装置４２０の病院管理記憶部１３０にアクセスし、患者の結果データが取得され、当該患者の患者管理記憶部１１０に格納される。
【０１４６】
本実施形態の医療情報処理システム１によれば、患者にフィードバックされることが稀であった結果データを、電子化情報として患者にセキュアに効率よく提供できる仕組みが提供される。
【０１４７】
（第５の実施の形態）
以下、本発明の第５の実施の形態に係る医療情報処理システム１について説明する。
図２６は、本発明の実施の形態に係る個人医療記録管理装置５００の論理的な構成を示す機能ブロック図である。
図２７は、本発明の実施の形態に係るデータ管理装置５２０の論理的な構成を示す機能ブロック図である。
本実施形態の医療情報処理システム１は、上記実施形態とは、ある医療機関での患者の問診データまたは結果データを、他の医療機関に送信する構成を有する点で相違する。
【０１４８】
本実施形態の個人医療記録管理装置５００は、個人問診データ格納部１０２と、チケット取得部５０４と、個人データ出力部５０６と、個人データ受信部４０６と、個人結果データ格納部４０２と、を有する。個人問診データ格納部１０２は、上記実施形態の個人医療記録管理装置１００、個人医療記録管理装置３００、および個人医療記録管理装置４００の個人問診データ格納部１０２のいずれかと同じ構成を有する。個人結果データ格納部４０２と個人データ受信部４０６は、上記実施形態の個人医療記録管理装置４００の個人データ受信部４０６と同様な構成を有する。
【０１４９】
データ管理装置５２０は、チケット出力部５２２と、問診データ表示部１２４と、結果出力部４２４と、を備える。
問診データ表示部１２４は、上記実施形態のデータ管理装置１２０、およびデータ管理装置４２０の問診データ表示部１２４のいずれかと同じ構成を有する。結果出力部４２４は、上記実施形態のデータ管理装置４２０の結果出力部４２４と同様な構成を有する。
本実施形態において、データ管理装置５２０のチケット出力部５２２は、上記実施形態のデータ管理装置１２０のチケット出力部１２２とデータ管理装置４２０のチケット出力部４２２の両方の機能を有する。
【０１５０】
本実施形態において、チケット情報は、他の医療機関における患者の問診データまたは結果データを、その医療機関に送信する旨の入力を受け付けたことを示す情報を含んでいる。個人医療記録管理装置５００のチケット取得部５０４は、このチケット情報を取得する。
個人データ出力部５０６は、チケット情報を受け付けると、当該チケット情報を用いて
個人医療記録管理装置５００に記憶されている、その患者の問診データまたは結果データを個人問診データ格納部１０２または個人結果データ格納部４０２から読み出して今回受信する医療機関側のデータ管理装置５２０（病院管理記憶部１３０）に出力する。
【０１５１】
チケット情報に含まれる、他の医療機関における患者の問診データまたは結果データを、その医療機関に送信する旨の入力とは、たとえば、病院システム１５０の端末（受付端末１５４または診察端末１５６）で、その医療機関を今回受診する患者が以前他の医療機関を受診したときの問診データまたは結果データの送信を要求するオペレータによる指示の入力を受け付けることを指す。
【０１５２】
図２８は、本実施形態の個人医療記録管理装置５００の個人問診データ格納部１０２と、個人結果データ格納部４０２に格納される問診データと結果データの送信履歴情報を示す個人データ送信履歴情報５１２の構造の一例を示す図である。
個人データ送信履歴情報５１２は、ユーザ毎に患者管理記憶部１１０に格納される患者（ユーザ）の問診データと結果データの情報を示す。本実施形態では、問診データと結果データの情報を同じテーブルに個人データ送信履歴情報５１２として格納する構成としているが、これに限定されない。問診データと結果データの情報を異なるテーブルに格納する構成としてもよい。
【０１５３】
患者管理記憶部１１０は、本実施形態の個人結果データ格納部４０２と個人問診データ格納部１０２に相当する。
たとえば、個人データ送信履歴情報５１２は、医療機関に送信した問診データまたは結果データを示す識別情報（問診ＩＤまたは結果ＩＤ）、問診データまたは結果データの送信先の医療機関の病院ＩＤ、問診データまたは結果データを送信した送信日時を含む。
【０１５４】
本実施形態のチケット出力部５２２がチケット情報を出力するトリガは、様々考えられ、以下に例示されるが、これらに限定されない。また、以下の複数を組み合わせてもよい。
（ｂ１）患者がある医療機関を受診するとき、診察受付時に、以前受診した他の医療機関の問診データまたは結果データを今回受診する医療機関に送信する旨の入力を今回受診の医療機関の受付端末１５４で受け付ける。
（ｂ２）ある医療機関の医師が、診察時に、以前患者が受診した他の医療機関の問診データまたは結果データを取得したい旨の入力を、今回受診の医療機関の診察端末１５６で受け付ける。
（ｂ３）患者が現在受診中の医療機関受付の人または医師に依頼して、または、現在受診中の医療機関受付の人または医師が、受付端末１５４または診察端末１５６を利用して、他の医療機関に患者の問診データまたは結果データを送信する旨の入力を受け付ける。この例は、たとえば、他の医療機関を患者に紹介する場合等である。
【０１５５】
図２９は、本実施形態の医療情報処理システム１における患者のユーザ端末１４０の表示画面の一例を示す図である。
画面５７０は、チケット情報をある病院から受信したことを示すメッセージを表示する第１表示部５７２と、他の病院の問診データまたは結果データを、そのある病院に送信することの承諾を患者から得るためのメッセージを表示する第２表示部５７４と、を有する。
さらに、画面５７０は、他の病院の問診データまたは結果データをある病院に送信する操作を受け付ける、はいボタン５７７と、送信を拒否する操作を受け付ける、いいえボタン５７８とを有する。
【０１５６】
チケット取得部５０４が、ある病院からチケット情報を取得したとき、画面５７０がユーザ端末１４０の表示装置に表示される。
【０１５７】
個人データ出力部５０６は、図２９の画面５７０の、はいボタン５７７が押下されたことを受け付けると、他の病院の問診データまたは結果データを送信する旨の入力として受け付ける。そして、チケット取得部５０４が取得したチケット情報を用いて、当該患者の他の病院の問診データと個人結果データを患者管理記憶部１１０から読み出してある病院の病院管理記憶部１３０に格納する。
【０１５８】
図４の構成を例に説明すると、コード１６０が印刷された用紙を受け取った患者Ｕａは、コード１６０をユーザ端末１４０の撮像部を用いて撮像し、チケット情報をチケット取得部１４２に受け渡す。そして、図２９の画面５７０が患者Ｕａのユーザ端末１４０の表示装置に表示される。患者Ｕａが、画面５７０のはいボタン５７７を操作すると、チケット転送部１４４が、チケット取得部１４２により取得されたチケット情報と、結果データを受信する旨を示す情報を個人医療記録管理装置５００にネットワーク７を介して送信する。
【０１５９】
図３０は、本実施形態の医療情報処理システム１の動作の一例を示すフローチャートである。
ここでは、上述した（ｂ１）をトリガとしてチケット情報が出力される場合を例に説明する。
本実施形態において、まず、上記実施形態と同様に、患者はたとえば、来院して診察受付の手続きを行う（ステップＳ１０５）。病院システム１５０の受付端末１５４で受付処理が行われ、管理サーバ１５２を介して、受付処理が行われたことがデータ管理装置５２０に通知される（ステップＳ１４１）。具体的には、管理サーバ１５２では、図６の診察受付情報１３２に、受け付けた患者の診察受付情報を追加して更新するとともに、診察受付情報をデータ管理装置５２０に送信する。
【０１６０】
そして、データ管理装置５２０において、診察受付の入力を受け付けたとき、チケット出力部５２２が、患者ＩＤを特定する情報を含むチケット情報を生成して出力する（ステップＳ５４１）。ここでは、データ管理装置５２０で生成されたチケット情報が、病院システム１５０の管理サーバ１５２を介して受付端末１５４に送信される。受付端末１５４で、受信したチケット情報をコード１６０に変換し、コード１６０を印刷し、患者に渡される。
【０１６１】
本実施形態では、チケット情報には、病院ＩＤ、受付ＩＤ、患者ＩＤ、患者の生年月日、性別が含まれるものとする。
本実施形態において、チケット情報は、ワンタイム、かつ、有効期間が設定されている。
たとえば、当日の診察受付で発行された場合には、有効期間は当日となる。診療予約の受付で発行された場合には、有効期間は、予約日となる。また、午前中または午後の診察時間内、または所定の期間をさらに有効期間に指定してもよい。たとえば、２０１５年９月１日の８時〜１２時、または、診察当日の午前中等の有効期間であってもよい。
【０１６２】
そして、ユーザ端末１４０を利用して、患者はコード１６０の読み取りを行うことで、チケット取得部５０４がチケット情報を取得する（ステップＳ５０１）。具体的には、ユーザ端末１４０の撮像部（不図示）を用いて、コード１６０を撮像し、得られた画像をバーコードの読取を行えるアプリケーションを使用して、読み取り、チケット情報を取得する。
【０１６３】
そして、ユーザ端末１４０において、図３０の画面５７０が表示され、患者に対し、チケット情報を受信したこと、および他の病院の問診データまたは結果データをこの病院に送信するか否かを問い合わせるメッセージが提示される。患者による、はいボタン５７７の操作を受け付けると、チケット転送部１４４が、チケット情報および問診データまたは結果データを他の病院に送信する旨の入力として受け付け、チケット情報を個人医療記録管理装置５００に送信する（ステップＳ５０３）。
【０１６４】
具体的には、上述したように、ユーザ端末１４０は、クラウドサーバ１９０の個人医療記録管理装置５００にログインし、個人医療記録管理装置５００における認証手続き後に、チケット転送部１４４が、チケット情報を個人医療記録管理装置５００にネットワーク７を介して送信する。
【０１６５】
個人医療記録管理装置５００では、チケット取得部５０４が、ユーザ端末１４０から送信されたチケット情報を取得する（ステップＳ５２１）。ここで、ユーザ端末１４０において、患者による、チケット情報および問診データまたは結果データをこの病院に送信する旨の入力の受け付けは、ユーザ端末１４０の画面５７０において完了しているので、個人データ出力部５０６は、当該チケット情報を用いて患者の個人医療記録管理装置５００におけるユーザＩＤに基づいて患者ＩＤに対応する図１０の問診データの個人履歴情報１１２または図２４の個人結果情報４１２にアクセスし、送信すべき問診データまたは結果データを特定する。
【０１６６】
本実施形態では、問診データと結果データの両方をある病院に送信するものとする。なお、問診データと結果データのいずれか一方、または、特定の病院の問診データまたは結果データを指定して送信してもよい。指定方法は様々考えられるが、病院システム１５０の受付端末１５４または診察端末１５６で、指定を受け付け、管理サーバ１５２を介してデータ管理装置５２０に指定内容を送信し、チケット出力部５２２が、指定内容に基づいて、チケット情報に指定内容を含んでもよい。
【０１６７】
個人データ出力部５０６は、患者管理記憶部１１０から特定された他の病院の問診データおよび結果データを読み出す（ステップＳ５２３）。個人データ出力部５０６が、チケット情報に含まれる病院ＩＤに基づいて、ある病院の病院管理記憶部１３０を特定し、特定された他の病院の問診データおよび結果データを、ある病院の病院管理記憶部１３０にネットワーク５を介して送信する（ステップＳ５２５）。
【０１６８】
データ管理装置５２０において、病院管理記憶部１３０では、ある病院の病院管理記憶部１３０に問診データおよび結果データを格納することができる。このとき、病院管理記憶部１３０に格納された問診データの情報に基づいて、図１３の個人問診情報１３４が更新される。また、病院管理記憶部１３０に格納された結果データの情報に基づいて、図２２の個人結果情報４３２が更新される。
【０１６９】
そして、データ管理装置５２０では、問診データ表示部１２４が、個人医療記録管理装置５００から送信された他の病院の問診データおよび結果データを、出力したチケット情報に対応付けて取得し、当該問診データおよび結果データを患者ＩＤに対応付けて病院システム１５０内の端末に表示させる（ステップＳ５４３）。
病院システム１５０の診察端末１５６における、患者の問診データと結果データの表示方法は、上記実施形態と同様である。
【０１７０】
以上、説明したように、本実施形態の医療情報処理システム１によれば、上記実施形態と同様な効果を奏するとともに、患者のある医療機関における問診データおよび結果データを、患者の承諾の元で、セキュアにかつ効率よく他の医療機関に送信することができる。
本実施形態によれば、さらに、病院側は、患者の受診履歴を、患者が申告しなければ知るすべがなく、受診時の問診データのみを元に診察するしかなかったが、本実施形態によれば、患者の他の医療機関における問診データや結果データを取得し、参照できる。
【０１７１】
以上、図面を参照して本発明の実施形態について述べたが、これらは本発明の例示であり、上記以外の様々な構成を採用することもできる。
【０１７２】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者に関する情報を取得、利用する場合は、これを適法に行うものとする。
【０１７３】
以下、参考形態の例を付記する。
１．  個人医療記録管理装置が、
患者の問診データを個人問診データ記憶装置に予め格納し、
医療機関側のデータ管理装置で生成された、前記医療機関側における前記患者の識別情報を特定するための情報を含むチケット情報を取得し、
前記チケット情報の特定とともに問診データを送信する旨の入力を受け付けると、当該チケット情報を用いて前記患者の問診データを前記医療機関側の前記データ管理装置に出力する、
個人医療記録管理装置のデータ管理方法。
２．  前記個人医療記録管理装置が、
前記患者の問診データを当該患者の個人識別情報に対応付けて、複数の患者の問診データを前記個人問診データ記憶装置に格納し、
前記患者の問診データを出力する際、前記問診データを送信すべき患者の前記個人識別情報をさらに受け付け、当該個人識別情報に対応する患者の前記問診データを前記個人問診データ記憶装置から読み出して出力する１．に記載の個人医療記録管理装置のデータ管理方法。
３．  前記個人医療記録管理装置が、
前記チケット情報は、ワンタイムかつ有効期間が設定されている、
１．または２．に記載の個人医療記録管理装置のデータ管理方法。
４．  前記個人医療記録管理装置が、
前記チケットを取得する際、前記問診データに加えるべき質問事項が含まれるチケット情報を取得し、
前記患者の問診データを出力する際、当該質問事項に対する回答が入力されたことを条件に、新たに入力されたデータを含んだ状態で前記問診データを前記医療機関側の前記データ管理装置に出力する１．から３．いずれか一つに記載の個人医療記録管理装置のデータ管理方法。
５．  前記個人医療記録管理装置が、さらに、
前記チケット情報に前記質問事項が含まれていた場合に、その質問事項に回答すべきことを示すアラート情報を出力する４．に記載の個人医療記録管理装置のデータ管理方法。
６．  前記個人医療記録管理装置が、さらに、
前記医療機関での結果データを、当該医療機関の識別情報に対応付けて受信し、
受信した前記結果データを結果データ記憶装置に格納し、
前記チケット情報は、前記患者の前記結果データを、当該患者に送信する旨の入力を受け付けたこと示す情報を含み、
前記チケット情報を取得し、
前記チケット情報および前記結果データを受信する旨の入力を受け付けると、当該チケット情報を用いて前記医療機関側の前記データ管理装置のデータ記憶装置にアクセスし、前記患者の識別情報の結果データを読み出し、当該医療機関の識別情報に対応付けて前記結果データ記憶装置に格納する５．に記載の個人医療記録管理装置のデータ管理方法。
７．  前記個人医療記録管理装置が、
前記チケット情報は、
他の医療機関における前記患者の前記問診データまたは前記結果データを、該医療機関に送信する旨の入力を受け付けたことを示す情報を含み、
前記チケット情報を取得し、
前記チケット情報を受け付けると、当該チケット情報を用いてその患者の問診データまたは結果データを前記個人問診データ記憶装置または前記結果データ記憶装置から読み出して当該医療機関側の前記データ管理装置に出力する、６．に記載の個人医療記録管理装置のデータ管理方法。
【０１７４】
８．  データ管理装置が、
予約受付が行われたときに、患者識別情報を特定する情報を含むチケット情報を生成して出力し、
出力した前記チケット情報に対応付けて問診データを取得したときに、当該問診データを前記患者識別情報に対応付けて表示するデータ管理装置のデータ管理方法。
９．  前記データ管理装置が、さらに、
医療機関での前記患者識別情報に対応する結果データを、患者に送信する旨の入力を受け付けたとき、前記患者識別情報と当該医療機関の識別情報を特定する情報を含むチケット情報を生成して出力し、
前記結果データを、当該医療機関の識別情報に対応付けて患者の個人医療記録情報を記憶する記憶装置に出力し、出力したデータを当該患者識別情報に紐付けて当該患者の個人医療記録情報として前記記憶装置に記憶させる８．に記載のデータ管理装置のデータ管理方法。
【０１７５】
１０．  コンピュータに、
患者の問診データを個人問診データ記憶装置に予め格納する手順、
医療機関側のデータ管理装置で生成された、前記医療機関側における前記患者の識別情報を特定するための情報を含むチケット情報を取得する手順、
前記チケット情報の特定とともに問診データを送信する旨の入力を受け付けると、当該チケット情報を用いて前記患者の問診データを前記医療機関側の前記データ管理装置に出力する手順、
を実行させるためのプログラム。
１１．  前記患者の問診データを当該患者の個人識別情報に対応付けて、複数の患者の問診データを前記個人問診データ記憶装置に格納する手順、
前記患者の問診データを出力する手順において、前記問診データを送信すべき患者の前記個人識別情報をさらに受け付け、当該個人識別情報に対応する患者の前記問診データを前記個人問診データ記憶装置から読み出して出力する手順をコンピュータに実行させるための１０．に記載のプログラム。
１２．  前記チケット情報は、ワンタイムかつ有効期間が設定されている、
１０．または１１．に記載のプログラム。
１３．  前記問診データに加えるべき質問事項が含まれるチケット情報を取得する手順、
前記患者の問診データを出力する手順において、当該質問事項に対する回答が入力されたことを条件に、新たに入力されたデータを含んだ状態で前記問診データを前記医療機関側の前記データ管理装置に出力する手順をコンピュータに実行させるための１０．から１２．いずれか一つに記載のプログラム。
１４．  前記チケット情報に前記質問事項が含まれていた場合に、その質問事項に回答すべきことを示すアラート情報を出力する手順をさらにコンピュータに実行させるための１３．に記載のプログラム。
１５．  前記医療機関での結果データを、当該医療機関の識別情報に対応付けて受信する手順、
受信した前記結果データを結果データ記憶装置に格納する手順、をコンピュータに実行させ、
前記チケット情報は、前記患者の前記結果データを、当該患者に送信する旨の入力を受け付けたこと示す情報を含み、
前記チケット情報を取得する手順、
前記チケット情報および前記結果データを受信する旨の入力を受け付けると、当該チケット情報を用いて前記医療機関側の前記データ管理装置のデータ記憶装置にアクセスし、前記患者の識別情報の結果データを読み出し、当該医療機関の識別情報に対応付けて前記結果データ記憶装置に格納する手順をさらにコンピュータに実行させるための１４．に記載のプログラム。
１６．  前記チケット情報は、
他の医療機関における前記患者の前記問診データまたは前記結果データを、該医療機関に送信する旨の入力を受け付けたことを示す情報を含み、
前記チケット情報を取得する手順、
前記チケット情報を受け付けると、当該チケット情報を用いてその患者の問診データまたは結果データを前記個人問診データ記憶装置または前記結果データ記憶装置から読み出して当該医療機関側の前記データ管理装置に出力する手順をコンピュータに実行させるための１５．に記載のプログラム。
【０１７６】
１７．  コンピュータに、
予約受付が行われたときに、患者識別情報を特定する情報を含むチケット情報を生成して出力する手順、
出力した前記チケット情報に対応付けて問診データを取得したときに、当該問診データを前記患者識別情報に対応付けて表示する手順、を実行させるためのプログラム。
１８．  医療機関での前記患者識別情報に対応する結果データを、患者に送信する旨の入力を受け付けたとき、前記患者識別情報と当該医療機関の識別情報を特定する情報を含むチケット情報を生成して出力する手順、
前記結果データを、当該医療機関の識別情報に対応付けて患者の個人医療記録情報を記憶する記憶装置に出力し、出力したデータを当該患者識別情報に紐付けて当該患者の個人医療記録情報として前記記憶装置に記憶させる手順をさらにコンピュータに実行させるための１７．に記載のプログラム。
【０１７７】
１８．  個人医療記録管理装置と、
データ管理装置と、を備え、
前記個人記録管理装置が、
患者の問診データを予め格納する個人問診データ格納手段と、
医療機関側のデータ管理装置で生成された、前記医療機関側における前記患者の識別情報を特定するための情報を含むチケット情報を取得するチケット取得手段と、
前記チケット情報および問診データを送信する旨の入力を受け付けると、当該チケット情報を用いて前記患者の問診データを前記個人問診データ格納手段から読み出して前記医療機関側の前記データ管理装置に出力する個人データ出力手段と、を有し、
前記データ管理装置が、
診察受付の入力を受け付けたとき、患者の識別情報を特定する情報を含む前記チケット情報を生成して出力するチケット出力手段と、
出力した前記チケット情報に対応付けて前記問診データを取得し、当該問診データを前記患者の識別情報に対応付けて表示する問診データ表示手段と、
を有する、個人医療情報処理システム。
１９．  患者の問診データを予め格納する個人問診データ格納手段と、
医療機関側のデータ管理装置で生成された、前記医療機関側における前記患者の識別情報を特定するための情報を含むチケット情報を取得するチケット取得手段と、
前記チケット情報および問診データを送信する旨の入力を受け付けると、当該チケット情報を用いて前記患者の問診データを前記個人問診データ格納手段から読み出して前記医療機関側の前記データ管理装置に出力する個人データ出力手段と、
を備える個人医療記録管理装置。
２０．  前記個人問診データ格納手段は、前記患者の問診データを当該患者の個人識別情報に対応付けて、複数の患者の問診データを格納し、
前記個人データ出力手段は、前記問診データを送信すべき患者の前記個人識別情報をさらに受け付け、当該個人識別情報に対応する患者の前記問診データを前記個人問診データ格納手段から読み出して出力する１９．に記載の個人医療記録管理装置。
２１．  前記チケット情報は、ワンタイムかつ有効期間が設定されている、
１９．または２０．に記載の個人医療記録管理装置。
２２．  前記チケット取得手段は、
前記問診データに加えるべき質問事項が含まれるチケット情報を取得し、
前記個人データ出力手段は、
当該質問事項に対する回答が入力されたことを条件に、新たに入力されたデータを含んだ状態で前記問診データを前記医療機関側の前記データ管理装置に出力する１９．から２１．いずれか一つに記載の個人医療記録管理装置。
２３．  前記チケット情報に前記質問事項が含まれていた場合に、その質問事項に回答すべきことを示すアラート情報を出力するアラート出力手段をさらに備える２２．に記載の個人医療記録管理装置。
２４．  前記医療機関での結果データを、当該医療機関の識別情報に対応付けて受信する結果データ受信手段と、
受信した前記結果データを格納する結果データ格納手段と、をさらに備え、
前記チケット情報は、前記患者の前記結果データを、当該患者に送信する旨の入力を受け付けたこと示す情報を含み、
前記チケット取得手段は、前記チケット情報を取得し、
前記結果データ受信手段は、
前記チケット情報および前記結果データを受信する旨の入力を受け付けると、当該チケット情報を用いて前記医療機関側の前記データ管理装置のデータ記憶装置にアクセスし、前記患者の識別情報の結果データを読み出し、当該医療機関の識別情報に対応付けて前記結果データ格納手段に格納する２３．に記載の個人医療記録管理装置。
２５．  前記チケット情報は、
他の医療機関における前記患者の前記問診データまたは前記結果データを、該医療機関に送信する旨の入力を受け付けたことを示す情報を含み、
前記チケット取得手段は、前記チケット情報を取得し、
前記個人データ出力手段は、
前記チケット情報を受け付けると、当該チケット情報を用いてその患者の問診データまたは結果データを前記個人問診データ格納手段または前記結果データ格納手段から読み出して当該医療機関側の前記データ管理装置に出力する、２４．に記載の個人医療記録管理装置。
２６．  診察受付の入力を受け付けたとき、患者識別情報を特定する情報を含むチケット情報を生成して出力するチケット出力手段と、
出力した前記チケット情報に対応付けて問診データを取得し、当該問診データを前記患者識別情報に対応付けて表示する問診データ表示手段と、
を備えるデータ管理装置。
２７．  前記チケット出力手段は、
医療機関での前記患者識別情報に対応する結果データを、患者に送信する旨の入力を受け付けたとき、前記患者識別情報と当該医療機関の識別情報を特定する情報を含むチケット情報を生成して出力し、
前記結果データを、当該医療機関の識別情報に対応付けて患者の個人医療記録情報を記憶する記憶装置に出力し、出力したデータを当該患者識別情報に紐付けて当該患者の個人医療記録情報として前記記憶装置に記憶させる結果出力手段をさらに備える２６．に記載のデータ管理装置。
２８．  １９．から２５．のいずれか一つに記載の個人医療記録管理装置と、
２６．または２７．に記載のデータ管理装置と、を備える個人医療情報処理システム。
【符号の説明】
【０１７８】
１  医療情報処理システム
３、５、７、９、１１  ネットワーク
６０  コンピュータ
６２  ＣＰＵ
６４  メモリ
６６  ストレージ
６８  Ｉ／Ｏ
６９  バス
７０  プログラム
１００  個人医療記録管理装置
１０２  個人問診データ格納部
１０４  チケット取得部
１０６  個人データ出力部
１１０、１１０ａ、１１０ｂ、１１０ｃ  患者管理記憶部
１１２  個人履歴情報
１１４  個人問診情報
１２０  データ管理装置
１２２  チケット出力部
１２４  問診データ表示部
１３０、１３０ａ、１３０ｂ、１３０ｃ  病院管理記憶部
１３２  診察受付情報
１３４  個人問診情報
１３６  チケット発行情報
１４０、１４０ａ、１４０ｂ、１４０ｃ  ユーザ端末
１４２  チケット取得部
１４４  チケット転送部
１５０、１５０ａ、１５０ｂ、１５０ｃ  病院システム
１５２  管理サーバ
１５４  受付端末
１５６  診察端末
１５８  医療情報記憶装置
１６０  コード
１７０  画面
１７２  第１表示部
１７３  第２表示部
１７４  問診履歴一覧表示ボタン
１７５  第３表示部
１７６  第４表示部
１７７  はいボタン
１７８  いいえボタン
１８０  問診履歴画面
１９０  クラウドサーバ
２１０  問診データ
２１２  基本問診データ
２１４  追加問診データ
３００  個人医療記録管理装置
３０２  アラート出力部
３２０  アラート画面
３２２  第１表示部
３２４  第２表示部
３２８  キャンセルボタン
４００  個人医療記録管理装置
４０２  個人結果データ格納部
４０４  チケット取得部
４０６  個人データ受信部
４１２  個人結果情報
４２０  データ管理装置
４２２  チケット出力部
４２４  結果出力部
４３２  個人結果情報
４７０  画面
４７２  第１表示部
４７４  第２表示部
４７７  はいボタン
４７８  いいえボタン
５００  個人医療記録管理装置
５０４  チケット取得部
５０６  個人データ出力部
５１２  個人データ送信履歴情報
５２０  データ管理装置
５２２  チケット出力部
５７０  画面
５７２  第１表示部
５７４  第２表示部
５７７  はいボタン
５７８  いいえボタン
【図１】
0006720491.tif 000002
【図２】
0006720491.tif 000003
【図３】
0006720491.tif 000004
【図４】
0006720491.tif 000005
【図５】
0006720491.tif 000006
【図６】
0006720491.tif 000007
【図７】
0006720491.tif 000008
【図８】
0006720491.tif 000009
【図９】
0006720491.tif 000010
【図１０】
0006720491.tif 000011
【図１１】
0006720491.tif 000012
【図１２】
0006720491.tif 000013
【図１３】
0006720491.tif 000014
【図１４】
0006720491.tif 000015
【図１５】
0006720491.tif 000016
【図１６】
0006720491.tif 000017
【図１７】
0006720491.tif 000018
【図１８】
0006720491.tif 000019
【図１９】
0006720491.tif 000020
【図２０】
0006720491.tif 000021
【図２１】
0006720491.tif 000022
【図２２】
0006720491.tif 000023
【図２３】
0006720491.tif 000024
【図２４】
0006720491.tif 000025
【図２５】
0006720491.tif 000026
【図２６】
0006720491.tif 000027
【図２７】
0006720491.tif 000028
【図２８】
0006720491.tif 000029
【図２９】
0006720491.tif 000030
【図３０】
0006720491.tif 000031